(57)【要約】    【課題】  ユーザの使い勝手を悪くすることなく、ユーザが所望の情報を入手することができる情報出力方法、中央情報処理装置、情報出力方法及び情報出力プログラムを提供する。    【解決手段】  ＰＣサーバは商品が掲載されたカタログデータをカタログ情報と関連付けると共に、カタログデータから分割されたページデータを商品情報、印刷出力属性、表示属性及び複数のページデータに共通するキーワードと関連付けてデータベースに登録し、ユーザが所望の商品を検索する際、ＰＣサーバは所望の商品に対応するページデータだけでなく、共通するキーワードを有する他のページデータや印刷出力属性が「必須」であるページデータからなるカスタマイズカタログを作成して出力する。【選択図】      図６
2005108127.tif 000002
【特許請求の範囲】
【請求項１】
中央情報処理装置と通信し、複数の旅行情報コンテンツからなる旅行パンフレットを出力する情報処理装置において、
旅行情報コンテンツを指定する指定条件が入力される入力手段と、前記入力された指定条件に対応する第１の旅行情報コンテンツ及び前記入力された指定条件に対応しない第２の旅行情報コンテンツからなる前記旅行パンフレットを前記中央情報処理装置から受信し出力する出力手段とを備えることを特徴とする情報処理装置。
【請求項２】
中央情報処理装置と通信し、複数の旅行情報コンテンツからなる旅行パンフレットを出力する情報処理装置に組み込まれたコンピュータが実行可能な情報出力プログラムであって、
旅行情報コンテンツを指定する指定条件が入力される入力モジュールと、前記入力された指定条件に対応する第１の旅行情報コンテンツ及び前記入力された指定条件に対応しない第２の旅行情報コンテンツからなる前記旅行パンフレットを前記中央情報処理装置から受信し出力する出力モジュールとを有することを特徴とする情報出力プログラム。
【請求項３】
前記第２の旅行情報コンテンツは約款であることを特徴とする請求項２記載の情報出力プログラム。
【請求項４】
前記第２の旅行情報コンテンツは前記第１の旅行情報コンテンツに関連付けられた旅行情報コンテンツを含むことを特徴とする請求項２又は３記載の情報出力プログラム。
【請求項５】
前記中央情報処理装置に前記指定条件に応じた検索に用いられる属性が付加された前記旅行情報コンテンツを登録する登録モジュールを有することを特徴とする請求項２乃至４のいずれか１項に記載の情報出力プログラム。
【請求項６】
前記旅行情報コンテンツは複数の頁を有するカタログの各前記頁に対応し、前記属性を前記頁毎又は１以上の前記頁からなる商品毎に付加する付加モジュールを有することを特徴とする請求項２乃至５のいずれか１項に記載の情報出力プログラム。
【請求項７】
前記属性には、前記商品又は前記カタログ毎の画像属性を含むことを特徴とする請求項６記載の情報出力プログラム。
【請求項８】
前記属性には前記旅行情報コンテンツの出力を制御する出力属性を含むことを特徴とする請求項２乃至７のいずれか１項に記載の情報出力プログラム。
【請求項９】
前記出力属性には、前記商品毎の個別出力属性及び複数の前記商品に共通する共通出力属性を含むことを特徴とする請求項８記載の情報出力プログラム。
【請求項１０】
前記属性には、前記商品毎の個別属性及び複数の前記商品に共通する共通属性を含むことを特徴とする請求項６乃至９のいずれか１項に記載の情報出力プログラム。
【請求項１１】
前記商品毎の個別の属性は旅行コース情報であり、複数の商品に共通する共通属性はツアーオプション情報であることを特徴とする請求項１０記載の情報出力プログラム。
【請求項１２】
前記画像属性が複数の前記頁からなり、前記画像属性は１頁に収まるように縮小される縮小モジュールを有することを特徴とする請求項７記載の情報出力プログラム。
【請求項１３】
複数の前記頁をグループ化するグループモジュールを有することを特徴とする請求項６乃至１２のいずれか１項に記載の情報出力プログラム。
【請求項１４】
前記カタログの公開／非公開を設定する公開設定モジュールを有することを特徴とする請求項６乃至１３のいずれか１項に記載情報出力プログラム。
【請求項１５】
前記カタログを登録する際に前記カタログに施されるカタログ処理の方法を設定する処理方法設定モジュールを有することを特徴とする請求項６乃至１４のいずれか１項に記載の情報出力プログラム。
【請求項１６】
複数の前記カタログを一括に登録する一括登録モジュールを有することを特徴とする請求項６乃至１５のいずれか１項に記載の情報出力プログラム。
【請求項１７】
中央情報処理装置と通信する情報処理装置が、複数の旅行情報コンテンツからなる旅行パンフレットを出力する情報出力方法であって、
旅行情報コンテンツを指定する指定条件が入力される入力ステップと、前記入力された指定条件に対応する第１の旅行情報コンテンツ及び前記入力された指定条件に対応しない第２の旅行情報コンテンツからなる前記旅行パンフレットを前記中央情報処理装置から受信し出力する出力ステップとを有することを特徴とする情報出力方法。
【請求項１８】
前記第２の旅行情報コンテンツは約款であることを特徴とする請求項１７記載の情報出力方法。
【請求項１９】
前記第２の旅行情報コンテンツは前記第１の旅行情報コンテンツに関連付けられた旅行情報コンテンツを含むことを特徴とする請求項１７又は１８記載の情報出力方法。
【請求項２０】
前記中央情報処理装置に前記指定条件に応じた検索に用いられる属性が付加された前記旅行情報コンテンツを登録する登録ステップを有することを特徴とする請求項１７乃至１９のいずれか１項に記載の情報出力方法。
【請求項２１】
前記旅行情報コンテンツは複数の頁を有するカタログの各前記頁に対応し、前記属性を前記頁毎又は１以上の前記頁からなる商品毎に付加する付加ステップを有することを特徴とする請求項１７乃至２０のいずれか１項に記載の情報出力方法。
【請求項２２】
前記属性には、前記商品又は前記カタログ毎の画像属性を含むことを特徴とする請求項２１記載の情報出力方法。
【請求項２３】
前記属性には前記旅行情報コンテンツの出力を制御する出力属性を含むことを特徴とする請求項１７乃至２２のいずれか１項に記載の情報出力方法。
【請求項２４】
前記出力属性には、前記商品毎の個別出力属性及び複数の前記商品に共通する共通出力属性を含むことを特徴とする請求項２３記載の情報出力方法。
【請求項２５】
前記属性には、前記商品毎の個別属性及び複数の前記商品に共通する共通属性を含むことを特徴とする請求項２１乃至２４のいずれか１項に記載の情報出力方法。
【請求項２６】
前記商品毎の個別の属性は旅行コース情報であり、複数の商品に共通する共通属性はツアーオプション情報であることを特徴とする請求項２５記載の情報出力方法。
【請求項２７】
前記画像属性が複数の前記頁からなり、前記画像属性は１頁に収まるように縮小される縮小ステップを有することを特徴とする請求項２２記載の情報出力方法。
【請求項２８】
複数の前記頁をグループ化するグループステップを有することを特徴とする請求項２１乃至２７のいずれか１項に記載の情報出力方法。
【請求項２９】
前記カタログの公開／非公開を設定する公開設定ステップを有することを特徴とする請求項２１乃至２８のいずれか１項に記載の情報出力方法。
【請求項３０】
前記カタログを登録する際に前記カタログに施されるカタログ処理の方法を設定する処理方法設定ステップを有することを特徴とする請求項２１乃至２９のいずれか１項に記載の情報出力方法。
【請求項３１】
複数の前記カタログを一括に登録する一括登録ステップを有することを特徴とする請求項２１乃至３０のいずれか１項に記載の情報出力方法。
【請求項３２】
複数の旅行情報コンテンツからなる旅行パンフレットを出力する情報処理装置と通信する中央情報処理装置において、
旅行情報コンテンツを指定する指定条件が入力されたとき、前記入力された指定条件に対応する第１の旅行情報コンテンツ及び前記入力された指定条件に対応しない第２の旅行情報コンテンツを検索する検索手段を備えることを特徴とする中央情報処理装置。
【請求項３３】
複数の旅行情報コンテンツからなる旅行パンフレットを出力する情報処理装置と通信する中央情報処理装置に組み込まれたコンピュータが実行可能な情報出力プログラムであって、
旅行情報コンテンツを指定する指定条件が入力されたとき、前記入力された指定条件に対応する第１の旅行情報コンテンツ及び前記入力された指定条件に対応しない第２の旅行情報コンテンツを検索する検索モジュールを有することを特徴とする情報出力プログラム。
【請求項３４】
前記第２の旅行情報コンテンツは約款であることを特徴とする請求項３３記載の情報出力プログラム。
【請求項３５】
前記第２の旅行情報コンテンツは前記第１の旅行情報コンテンツに関連付けられた旅行情報コンテンツを含むことを特徴とする請求項３３又は３４記載の情報出力プログラム。
【請求項３６】
前記中央情報処理装置に前記指定条件に応じた検索に用いられる属性が付加された前記旅行情報コンテンツを登録する登録モジュールを有することを特徴とする請求項３３乃至３５のいずれか１項に記載の情報出力プログラム。
【請求項３７】
前記旅行情報コンテンツは複数の頁を有するカタログの各前記頁に対応し、前記属性を前記頁毎又は１以上の前記頁からなる商品毎に付加する付加モジュールを有することを特徴とする請求項３３乃至３６のいずれか１項に記載の情報出力プログラム。
【請求項３８】
前記属性には、前記商品又は前記カタログ毎の画像属性を含むことを特徴とする請求項３７記載の情報出力プログラム。
【請求項３９】
前記属性には前記旅行情報コンテンツの出力を制御する出力属性を含むことを特徴とする請求項３３乃至３８のいずれか１項に記載の情報出力プログラム。
【請求項４０】
前記出力属性には、前記商品毎の個別出力属性及び複数の前記商品に共通する共通出力属性を含むことを特徴とする請求項３９記載の情報出力プログラム。
【請求項４１】
前記属性には、前記商品毎の個別属性及び複数の前記商品に共通する共通属性を含むことを特徴とする請求項３７乃至４０のいずれか１項に記載の情報出力プログラム。
【請求項４２】
前記商品毎の個別の属性は旅行コース情報であり、複数の商品に共通する共通属性はツアーオプション情報であることを特徴とする請求項４１記載の情報出力プログラム。
【請求項４３】
前記画像情報が複数の前記頁からなり、前記画像情報は１頁に収まるように縮小される縮小モジュールを有することを特徴とする請求項３８記載の情報出力プログラム。
【請求項４４】
複数の前記頁をグループ化するグループモジュールを有することを特徴とする請求項３７乃至４３のいずれか１項に記載の情報出力プログラム。
【請求項４５】
前記カタログの公開／非公開を設定する公開設定モジュールを有することを特徴とする請求項３７乃至４４のいずれか１項に記載情報出力プログラム。
【請求項４６】
前記カタログを登録する際に前記カタログに施されるカタログ処理の方法を設定する処理方法設定モジュールを有することを特徴とする請求項３７乃至４５のいずれか１項に記載の情報出力プログラム。
【請求項４７】
複数の前記カタログを一括に登録する一括登録モジュールを有することを特徴とする請求項３７乃至４６のいずれか１項に記載の情報出力プログラム。
【請求項４８】
複数の旅行情報コンテンツからなる旅行パンフレットを出力する情報処理装置と通信する中央情報処理装置が前記情報処理装置に情報を出力する情報出力方法であって、
旅行情報コンテンツを指定する指定条件が入力されたとき、前記入力された指定条件に対応する第１の旅行情報コンテンツ及び前記入力された指定条件に対応しない第２の旅行情報コンテンツを検索する検索ステップを有することを特徴とする情報出力方法。
【請求項４９】
前記第２の旅行情報コンテンツは約款であることを特徴とする請求項４８記載の情報出力方法。
【請求項５０】
前記第２の旅行情報コンテンツは前記第１の旅行情報コンテンツに関連付けられた旅行情報コンテンツを含むことを特徴とする請求項４８又は４９記載の情報出力方法。
【請求項５１】
前記中央情報処理装置に前記指定条件に応じた検索に用いられる属性が付加された前記旅行情報コンテンツを登録する登録ステップを有することを特徴とする請求項４８乃至５０のいずれか１項に記載の情報出力方法。
【請求項５２】
前記旅行情報コンテンツは複数の頁を有するカタログの各前記頁に対応し、前記属性を前記頁毎又は１以上の前記頁からなる商品毎に付加する付加ステップを有することを特徴とする請求項４８乃至５１のいずれか１項に記載の情報出力方法。
【請求項５３】
前記属性には、前記商品又は前記カタログ毎の画像属性を含むことを特徴とする請求項５２記載の情報出力方法。
【請求項５４】
前記属性には前記旅行情報コンテンツの出力を制御する出力属性を含むことを特徴とする請求項４８乃至５３のいずれか１項に記載の情報出力方法。
【請求項５５】
前記出力属性には、前記商品毎の個別出力属性及び複数の前記商品に共通する共通出力属性を含むことを特徴とする請求項５４記載の情報出力方法。
【請求項５６】
前記属性には、前記商品毎の個別属性及び複数の前記商品に共通する共通属性を含むことを特徴とする請求項５２乃至５５のいずれか１項に記載の情報出力方法。
【請求項５７】
前記商品毎の個別の属性は旅行コース情報であり、複数の商品に共通する共通属性はツアーオプション情報であることを特徴とする請求項５６記載の情報出力方法。
【請求項５８】
前記画像情報が複数の前記頁からなり、前記画像情報は１頁に収まるように縮小される縮小ステップを有することを特徴とする請求項５３記載の情報出力方法。
【請求項５９】
複数の前記頁をグループ化するグループステップを有することを特徴とする請求項５２乃至５８のいずれか１項に記載の情報出力方法。
【請求項６０】
前記カタログの公開／非公開を設定する公開設定ステップを有することを特徴とする請求項５２乃至５９のいずれか１項に記載情報出力方法。
【請求項６１】
前記カタログを登録する際に前記カタログに施されるカタログ処理の方法を設定する処理方法設定ステップを有することを特徴とする請求項５２乃至６０のいずれか１項に記載の情報出力方法。
【請求項６２】
複数の前記カタログを一括に登録する一括登録ステップを有することを特徴とする請求項５２乃至６１のいずれか１項に記載の情報出力方法。
【発明の詳細な説明】
【技術分野】
【０００１】
本発明は、情報出力方法、中央情報処理装置、及び情報出力プログラムに関する。
【背景技術】
【０００２】
ユーザが所望の情報をパンフレットなどのドキュメントで入手するシステムとしては、ＰＣ等のユーザ側情報処理装置と、サーバ等の中央情報処理装置とを備える情報提供システムであって、ユーザが所望の情報に関連するキーワードをユーザ側情報処理装置に入力した際、情報処理装置が入力されたキーワードを含むドキュメントをユーザ側情報処理装置に送信する情報提供システムが知られている。
【０００３】
このような情報提供システムとしては、例えば、ユーザとしての旅行会社の担当者が、顧客に適したツアーをスムーズに選択可能で、顧客に対してツアー内容を容易に理解できるように説明することができ、さらに顧客の希望に合わせて容易にツアー内容をカストマイズすることができることを目的として、Ｗｅｂ閲覧が可能な形態でメインサーバのデータベースに国名、都市名、ガイド区分（観光地の種類）等の属性情報を付加した観光地に関する情報等の旅行コンテンツ情報が登録され、担当者が選択した属性情報に基づいた検索によって絞り込まれた旅行コンテンツ情報を属性情報と共に支店の端末等を通じて顧客に印刷物として提示するシステムが知られている（例えば、特許文献１参照。）。
【０００４】
このシステムでは、コンテンツの登録の際、ツアー企画部門がメインサーバのツアー支援アプリケーションを操作して、観光地の画像、ガイド区分、観光地の目的、観光地の見所、ホテルの説明、ホテルの画像などをデータベースに登録する。
【０００５】
しかしながら、上述したシステムでは、ユーザが入力したキーワードを含まないが、当該入力されたキーワードを含むドキュメントに関連する他のドキュメントや、キーワードに係わらずユーザに提示必須のドキュメントがユーザ側情報処理装置に送信されないため、ユーザが所望の情報を入手することができないという問題がある。  
【０００６】
そこで、関連する他のドキュメントや提示必須ドキュメントを漏れなくユーザ側情報処理装置に送信させるために、ユーザが入力するキーワードの数を増加させた場合、上記ドキュメント以外に不必要なドキュメントも出力されるため、ユーザの使い勝手を悪くするという問題がある。
【特許文献１】特開２００３−０３０２８７号公報
【発明の開示】
【発明が解決しようとする課題】
【０００７】
本発明の目的は、ユーザの使い勝手を悪くすることなく、ユーザが所望の情報を入手することができる情報出力方法、中央情報処理装置、及び情報出力プログラムを提供することにある。
【課題を解決するための手段】
【０００８】
上記目的を達成するために、請求項１記載の情報処理装置は、中央情報処理装置と通信し、複数の旅行情報コンテンツからなる旅行パンフレットを出力する情報処理装置において、旅行情報コンテンツを指定する指定条件が入力される入力手段と、前記入力された指定条件に対応する第１の旅行情報コンテンツ及び前記入力された指定条件に対応しない第２の旅行情報コンテンツからなる前記旅行パンフレットを前記中央情報処理装置から受信し出力する出力手段とを備えることを特徴とする。
【０００９】
上記目的を達成するために、請求項２記載の情報出力プログラムは、中央情報処理装置と通信し、複数の旅行情報コンテンツからなる旅行パンフレットを出力する情報処理装置に組み込まれたコンピュータが実行可能な情報出力プログラムであって、旅行情報コンテンツを指定する指定条件が入力される入力モジュールと、前記入力された指定条件に対応する第１の旅行情報コンテンツ及び前記入力された指定条件に対応しない第２の旅行情報コンテンツからなる前記旅行パンフレットを前記中央情報処理装置から受信し出力する出力モジュールとを有することを特徴とする。
【００１０】
請求項３記載の情報出力プログラムは、請求項２記載の情報出力プログラムにおいて、前記第２の旅行情報コンテンツは約款であることを特徴とする。
【００１１】
請求項４記載の情報出力プログラムは、請求項２又は３記載の情報出力プログラムにおいて、前記第２の旅行情報コンテンツは前記第１の旅行情報コンテンツに関連付けられた旅行情報コンテンツを含むことを特徴とする。
【００１２】
請求項５記載の情報出力プログラムは、請求項２乃至４のいずれか１項に記載の情報出力プログラムにおいて、前記中央情報処理装置に前記指定条件に応じた検索に用いられる属性が付加された前記旅行情報コンテンツを登録する登録モジュールを有することを特徴とする。
【００１３】
請求項６記載の情報出力プログラムは、請求項２乃至５のいずれか１項に記載の情報出力プログラムにおいて、前記旅行情報コンテンツは複数の頁を有するカタログの各前記頁に対応し、前記属性を前記頁毎又は１以上の前記頁からなる商品毎に付加する付加モジュールを有することを特徴とする。
【００１４】
請求項７記載の情報出力プログラムは、請求項６記載の情報出力プログラムにおいて、前記属性には、前記商品又は前記カタログ毎の画像属性を含むことを特徴とする。
【００１５】
請求項８記載の情報出力プログラムは、請求項２乃至７のいずれか１項に記載の情報出力プログラムにおいて、前記属性には前記旅行情報コンテンツの出力を制御する出力属性を含むことを特徴とする。
【００１６】
請求項９記載の情報出力プログラムは、請求項８記載の情報出力プログラムにおいて、前記出力属性には、前記商品毎の個別出力属性及び複数の前記商品に共通する共通出力属性を含むことを特徴とする。
【００１７】
請求項１０記載の情報出力プログラム、請求項６乃至９のいずれか１項に記載の情報出力プログラムにおいて、前記属性には、前記商品毎の個別属性及び複数の前記商品に共通する共通属性を含むことを特徴とする。
【００１８】
請求項１１記載の情報出力プログラムは、請求項１０記載の情報出力プログラムにおいて、前記商品毎の個別の属性は旅行コース情報であり、複数の商品に共通する共通属性はツアーオプション情報であることを特徴とする。
【００１９】
請求項１２記載の情報出力プログラムは、請求項７記載の情報出力プログラムにおいて、前記画像属性が複数の前記頁からなり、前記画像属性は１頁に収まるように縮小される縮小モジュールを有することを特徴とする。
【００２０】
請求項１３記載の情報出力プログラムは、請求項６乃至１２のいずれか１項に記載の情報出力プログラムにおいて、複数の前記頁をグループ化するグループモジュールを有することを特徴とする。
【００２１】
請求項１４記載の情報出力プログラムは、請求項６乃至１３のいずれか１項に記載情報出力プログラムにおいて、前記カタログの公開／非公開を設定する公開設定モジュールを有することを特徴とする。
【００２２】
請求項１５記載の情報出力プログラムは、請求項６乃至１４のいずれか１項に記載の情報出力プログラムにおいて、前記カタログを登録する際に前記カタログに施されるカタログ処理の方法を設定する処理方法設定モジュールを有することを特徴とする。
【００２３】
請求項１６記載の情報出力プログラムは、請求項６乃至１５のいずれか１項に記載の情報出力プログラムにおいて、複数の前記カタログを一括に登録する一括登録モジュールを有することを特徴とする。
【００２４】
上記目的を達成するために、請求項１７記載の情報出力方法は、中央情報処理装置と通信する情報処理装置が、複数の旅行情報コンテンツからなる旅行パンフレットを出力する情報出力方法であって、旅行情報コンテンツを指定する指定条件が入力される入力ステップと、前記入力された指定条件に対応する第１の旅行情報コンテンツ及び前記入力された指定条件に対応しない第２の旅行情報コンテンツからなる前記旅行パンフレットを前記中央情報処理装置から受信し出力する出力ステップとを有することを特徴とする。
【００２５】
請求項１８記載の情報出力方法は、請求項１７記載の情報出力方法において、前記第２の旅行情報コンテンツは約款であることを特徴とする。
【００２６】
請求項１９記載の情報出力方法は、請求項１７又は１８記載の情報出力方法において、前記第２の旅行情報コンテンツは前記第１の旅行情報コンテンツに関連付けられた旅行情報コンテンツを含むことを特徴とする。
【００２７】
請求項２０記載の情報出力方法は、請求項１７乃至１９のいずれか１項に記載の情報出力方法において、前記中央情報処理装置に前記指定条件に応じた検索に用いられる属性が付加された前記旅行情報コンテンツを登録する登録ステップを有することを特徴とする。
【００２８】
請求項２１記載の情報出力方法は、請求項１７乃至２０のいずれか１項に記載の情報出力方法において、前記旅行情報コンテンツは複数の頁を有するカタログの各前記頁に対応し、前記属性を前記頁毎又は１以上の前記頁からなる商品毎に付加する付加ステップを有することを特徴とする。
【００２９】
請求項２２記載の情報出力方法は、請求項２１記載の情報出力方法において、前記属性には、前記商品又は前記カタログ毎の画像属性を含むことを特徴とする。
【００３０】
請求項２３記載の情報出力方法は、請求項１７乃至２２のいずれか１項に記載の情報出力方法において、前記属性には前記旅行情報コンテンツの出力を制御する出力属性を含むことを特徴とする。
【００３１】
請求項２４記載の情報出力方法は、請求項２３記載の情報出力方法において、前記出力属性には、前記商品毎の個別出力属性及び複数の前記商品に共通する共通出力属性を含むことを特徴とする。
【００３２】
請求項２５記載の情報出力方法は、請求項２１乃至２４のいずれか１項に記載の情報出力方法において、前記属性には、前記商品毎の個別属性及び複数の前記商品に共通する共通属性を含むことを特徴とする。
【００３３】
請求項２６記載の情報出力方法は、請求項２５記載の情報出力方法において、前記商品毎の個別の属性は旅行コース情報であり、複数の商品に共通する共通属性はツアーオプション情報であることを特徴とする。
【００３４】
請求項２７記載の情報出力方法は、請求項２２記載の情報出力方法において、前記画像属性が複数の前記頁からなり、前記画像属性は１頁に収まるように縮小される縮小ステップを有することを特徴とする。
【００３５】
請求項２８記載の情報出力方法は、請求項２１乃至２７のいずれか１項に記載の情報出力方法において、複数の前記頁をグループ化するグループステップを有することを特徴とする。
【００３６】
請求項２９記載の情報出力方法は、請求項２１乃至２８のいずれか１項に記載情報出力方法において、前記カタログの公開／非公開を設定する公開設定ステップを有することを特徴とする。
【００３７】
請求項３０記載の情報出力方法は、請求項２１乃至２９のいずれか１項に記載の情報出力方法において、前記カタログを登録する際に前記カタログに施されるカタログ処理の方法を設定する処理方法設定ステップを有することを特徴とする。
【００３８】
請求項３１記載の情報出力方法は、請求項２１乃至３０のいずれか１項に記載の情報出力方法において、複数の前記カタログを一括に登録する一括登録ステップを有することを特徴とする。
【００３９】
上記目的を達成するために、請求項３２記載の中央情報処理装置は、複数の旅行情報コンテンツからなる旅行パンフレットを出力する情報処理装置と通信する中央情報処理装置において、旅行情報コンテンツを指定する指定条件が入力されたとき、前記入力された指定条件に対応する第１の旅行情報コンテンツ及び前記入力された指定条件に対応しない第２の旅行情報コンテンツを検索する検索手段を備えることを特徴とする。
【００４０】
上記目的を達成するために、請求項３３記載の情報出力プログラムは、複数の旅行情報コンテンツからなる旅行パンフレットを出力する情報処理装置と通信する中央情報処理装置に組み込まれたコンピュータが実行可能な情報出力プログラムであって、旅行情報コンテンツを指定する指定条件が入力されたとき、前記入力された指定条件に対応する第１の旅行情報コンテンツ及び前記入力された指定条件に対応しない第２の旅行情報コンテンツを検索する検索モジュールを有することを特徴とする。
【００４１】
請求項３４記載の情報出力プログラムは、請求項３３記載の情報出力プログラムにおいて、前記第２の旅行情報コンテンツは約款であることを特徴とする。
【００４２】
請求項３５記載の情報出力プログラムは、請求項３３又は３４記載の情報出力プログラムにおいて、前記第２の旅行情報コンテンツは前記第１の旅行情報コンテンツに関連付けられた旅行情報コンテンツを含むことを特徴とする。
【００４３】
請求項３６記載の情報出力プログラムは、請求項３３乃至３５のいずれか１項に記載の情報出力プログラムにおいて、前記中央情報処理装置に前記指定条件に応じた検索に用いられる属性が付加された前記旅行情報コンテンツを登録する登録モジュールを有することを特徴とする。
【００４４】
請求項３７記載の情報出力プログラムは、請求項３３乃至３６のいずれか１項に記載の情報出力プログラムにおいて、前記旅行情報コンテンツは複数の頁を有するカタログの各前記頁に対応し、前記属性を前記頁毎又は１以上の前記頁からなる商品毎に付加する付加モジュールを有することを特徴とする。
【００４５】
請求項３８記載の情報出力プログラムは、請求項３７記載の情報出力プログラムにおいて、前記属性には、前記商品又は前記カタログ毎の画像属性を含むことを特徴とする。
【００４６】
請求項３９記載の情報出力プログラムは、請求項３３乃至３８のいずれか１項に記載の情報出力プログラムにおいて、前記属性には前記旅行情報コンテンツの出力を制御する出力属性を含むことを特徴とする。
【００４７】
請求項４０記載の情報出力プログラムは、請求項３９記載の情報出力プログラムにおいて、前記出力属性には、前記商品毎の個別出力属性及び複数の前記商品に共通する共通出力属性を含むことを特徴とする。
【００４８】
請求項４１記載の情報出力プログラムは、請求項３７乃至４０のいずれか１項に記載の情報出力プログラムにおいて、前記属性には、前記商品毎の個別属性及び複数の前記商品に共通する共通属性を含むことを特徴とする。
【００４９】
請求項４２記載の情報出力プログラムは、請求項４１記載の情報出力プログラムにおいて、前記商品毎の個別の属性は旅行コース情報であり、複数の商品に共通する共通属性はツアーオプション情報であることを特徴とする。
【００５０】
請求項４３記載の情報出力プログラムは、請求項３８記載の情報出力プログラムにおいて、前記画像情報が複数の前記頁からなり、前記画像情報は１頁に収まるように縮小される縮小モジュールを有することを特徴とする。
【００５１】
請求項４４記載の情報出力プログラムは、請求項３７乃至４３のいずれか１項に記載の情報出力プログラムにおいて、複数の前記頁をグループ化するグループモジュールを有することを特徴とする。
【００５２】
請求項４５記載の情報出力プログラムは、請求項３７乃至４４のいずれか１項に記載情報出力プログラムにおいて、前記カタログの公開／非公開を設定する公開設定モジュールを有することを特徴とする。
【００５３】
請求項４６記載の情報出力プログラムは、請求項３７乃至４５のいずれか１項に記載の情報出力プログラムにおいて、前記カタログを登録する際に前記カタログに施されるカタログ処理の方法を設定する処理方法設定モジュールを有することを特徴とする。
【００５４】
請求項４７記載の情報出力プログラムは、請求項３７乃至４６のいずれか１項に記載の情報出力プログラムにおいて、複数の前記カタログを一括に登録する一括登録モジュールを有することを特徴とする。
【００５５】
上記目的を達成するために、請求項４８記載の情報出力方法は、複数の旅行情報コンテンツからなる旅行パンフレットを出力する情報処理装置と通信する中央情報処理装置が前記情報処理装置に情報を出力する情報出力方法であって、旅行情報コンテンツを指定する指定条件が入力されたとき、前記入力された指定条件に対応する第１の旅行情報コンテンツ及び前記入力された指定条件に対応しない第２の旅行情報コンテンツを検索する検索ステップを有することを特徴とする。
【００５６】
請求項４９記載の情報出力方法は、請求項４８記載の情報出力方法において、前記第２の旅行情報コンテンツは約款であることを特徴とする。
【００５７】
請求項５０記載の情報出力方法は、請求項４８又は４９記載の情報出力方法において、前記第２の旅行情報コンテンツは前記第１の旅行情報コンテンツに関連付けられた旅行情報コンテンツを含むことを特徴とする。
【００５８】
請求項５１記載の情報出力方法は、請求項４８乃至５０のいずれか１項に記載の情報出力方法において、前記中央情報処理装置に前記指定条件に応じた検索に用いられる属性が付加された前記旅行情報コンテンツを登録する登録ステップを有することを特徴とする。
【００５９】
請求項５２記載の情報出力方法は、請求項４８乃至５１のいずれか１項に記載の情報出力方法において、前記旅行情報コンテンツは複数の頁を有するカタログの各前記頁に対応し、前記属性を前記頁毎又は１以上の前記頁からなる商品毎に付加する付加ステップを有することを特徴とする。
【００６０】
請求項５３記載の情報出力方法は、請求項５２記載の情報出力方法において、前記属性には、前記商品又は前記カタログ毎の画像属性を含むことを特徴とする。
【００６１】
請求項５４記載の情報出力方法は、請求項４８乃至５３のいずれか１項に記載の情報出力方法において、前記属性には前記旅行情報コンテンツの出力を制御する出力属性を含むことを特徴とする。
【００６２】
請求項５５記載の情報出力方法は、請求項５４記載の情報出力方法において、前記出力属性には、前記商品毎の個別出力属性及び複数の前記商品に共通する共通出力属性を含むことを特徴とする。
【００６３】
請求項５６記載の情報出力方法は、請求項５２乃至５５のいずれか１項に記載の情報出力方法において、前記属性には、前記商品毎の個別属性及び複数の前記商品に共通する共通属性を含むことを特徴とする。
【００６４】
請求項５７記載の情報出力方法は、請求項５６記載の情報出力方法において、前記商品毎の個別の属性は旅行コース情報であり、複数の商品に共通する共通属性はツアーオプション情報であることを特徴とする。
【００６５】
請求項５８記載の情報出力方法は、請求項５３記載の情報出力方法において、前記画像情報が複数の前記頁からなり、前記画像情報は１頁に収まるように縮小される縮小ステップを有することを特徴とする。
【００６６】
請求項５９記載の情報出力方法は、請求項５２乃至５８のいずれか１項に記載の情報出力方法において、複数の前記頁をグループ化するグループステップを有することを特徴とする。
【００６７】
請求項６０記載の情報出力方法は、請求項５２乃至５９のいずれか１項に記載情報出力方法において、前記カタログの公開／非公開を設定する公開設定ステップを有することを特徴とする。
【００６８】
請求項６１記載の情報出力方法は、請求項５２乃至６０のいずれか１項に記載の情報出力方法において、前記カタログを登録する際に前記カタログに施されるカタログ処理の方法を設定する処理方法設定ステップを有することを特徴とする。
【００６９】
請求項６２記載の情報出力方法は、請求項５２乃至６１のいずれか１項に記載の情報出力方法において、複数の前記カタログを一括に登録する一括登録ステップを有することを特徴とする。
【発明の効果】
【００７０】
本発明によれば、旅行情報コンテンツを指定する指定条件が入力されたとき、前記入力された指定条件に対応する第１の旅行情報コンテンツ及び前記入力された指定条件に対応しない第２の旅行情報コンテンツからなる前記旅行パンフレットを作成するので、ユーザの使い勝手を悪くすることなく、ユーザが所望の情報を入手することができる。
【００７１】
また、本発明によれば、旅行情報コンテンツを指定する指定条件が入力されたとき、前記入力された指定条件に対応する第１の旅行情報コンテンツ及び前記入力された指定条件に対応しない第２の旅行情報コンテンツを検索するので、ユーザの使い勝手を悪くすることなく、ユーザが所望の情報を入手することができる。
【発明を実施するための最良の形態】
【００７２】
以下、本発明の実施の形態に係る情報出力方法、中央情報処理装置、情報出力方法及び情報出力プログラムについて図面を参照しながら説明する。
【００７３】
図１は、本発明の実施の形態に係る情報出力方法や中央情報処理装置によって構成される情報出力システムの概略構成を示す図である。
【００７４】
図１において、１０１及び１０２はクライアントＰＣ（情報処理装置）であり、これを用いてシステム管理者が新規データファイルを登録したり、ユーザ管理情報修正等のシステムメンテナンス処理を行ったり、あるいはユーザが旅行コース等の商品の検索や旅行パンフレットの出力等の指示を行う。
【００７５】
１０３は後述のローカルエリアネットワーク（ＬＡＮ）１０５に接続された機器によって共有されている画像データを読み込むスキャナであり、クライアントＰＣ１０１等からの指示に従ってカタログの画像データ等を読み込む。１０４はＬＡＮ１０５に接続されたデバイスによって共有されているプリンタであり、クライアントＰＣ１０１からの指示に従って、カタログや旅行パンフレット等を出力する。
【００７６】
１０５及び１１１はＬＡＮであり、例えば、ＬＡＮ１０５に接続している機器は当該ＬＡＮ１０５を介して他の機器とデータのやり取りを行う。１０７はインターネットであり、１０６はこのインターネットに直接に接続されたクライアントＰＣである。クライアントＰＣ１０６は、クライアントＰＣ１０１等と接続されるネットワークが異なるが、クライアントＰＣ１０１と同様の目的で使用される。
【００７７】
１０８は、ＬＡＮ１０５，１１１やインターネット１０７を介してクライアントＰＣ１０１等からＨＴＴＰプロトコルで送信されたリクエストを受け取るＨＴＴＰサーバである。後述するクライアントＰＣ１０１の表示部に表示される各種画面はこのＨＴＴＰサーバ１０８の処理により実現する。
【００７８】
１０９はＷｅｂアプリケーションサーバ（中央情報処理装置）である。ＨＴＴＰサーバ１０８には幾つかのＷｅｂアプリケーションサーバ１０９がＬＡＮ１１１を介して接続されており、クライアントＰＣ１０１等から送信されたリクエストの内容に従ってＨＴＴＰサーバ１０８は、ジョブを適切なＷｅｂアプリケーションサーバ１０９に割り振る。また、ＨＴＴＰサーバ１０８はジョブの処理結果をクライアントＰＣ１０１等へ返信する。
【００７９】
１１０はデータベースであり、Ｗｅｂアプリケーションサーバ１０９に接続、若しくは内蔵され、後述するカタログデータや画像データ、商品情報やカタログ情報のテキスト情報、グループ情報、及びデータファイルの処理情報等を記録する。
【００８０】
このように、ＨＴＴＰサーバ１０８、Ｗｅｂアプリケーションサーバ１０９、データベース１１０が有機的に組み合わさりＷｅｂデータベースシステムとして機能する。
【００８１】
上の説明においてはＷｅｂアプリケーションサーバ１０９、ＨＴＴＰサーバ１０８、データベース１１０の夫々を物理的に別の装置として説明したが、無論これに限定されることはなく、Ｗｅｂアプリケーションサーバ１０９、ＨＴＴＰサーバ１０８、データベース１１０の夫々の機能を物理的に１つの装置に設けるようにしても良い。また、Ｗｅｂアプリケーションサーバ１０９、ＨＴＴＰサーバ１０８、データベース１１０と同様の機能を別のサーバに行わせても良い。尚、以下の説明においてＨＴＴＰサーバ１０８及びＷｅｂアプリケーションサーバ１０９を総称して「ＰＣサーバ」或いは「サーバ」という。
【００８２】
図２は、図１におけるクライアントＰＣ１０１やＰＣサーバの構成を示すブロック図である。
【００８３】
図２において、１はシステム・バスであり、以下説明する各構成ブロックはこのシステム・バス１に接続されている。２はＣＰＵ（Central Processing Unit）である。３はプログラム・メモリ（以下「ＰＭＥＭ」という。）で、本発明に係る情報出力方法を実現するプログラムを適宜ハード・ディスク１０から選択／読込みし、ＣＰＵ２が選択／読込みこまれたプログラムを実行する。
【００８４】
キーボード１２から入力されたデータはテキスト・メモリでもあるＰＭＥＭにコード情報として格納される。４は通信制御部であり、通信ポート５における入出力データの制御を行う。通信ポート５から出力された信号は、通信回線６を経由して、ＬＡＮ１０５等のネットワーク上の他の装置７の通信ポートに伝えられる。ネットワークを介して共有されているプリンタやスキャナとの通信は、この通信制御部４を介して行われる。
【００８５】
本実施の形態ではＬＡＮ等のネットワークを用いる例について記述するが、この通信制御部４に接続される通信ポート及び通信回線が一般の公衆回線であってもよいことは言うまでもない。
【００８６】
８は外部記憶装置制御部、９及び１０はデータファイル用のディスクで、例えば９は、フロッピー（登録商標）ディスク（以下「ＦＤ」という。）であり、１０はハード・ディスク（以下「ＨＤ」という。）である。１１は入力制御部であり、キーボード１２やマウス１３等の入力装置が接続される。操作者はこのキーボード１２等を操作することにより、例えば情報処理システムの動作指令等を行う。
【００８７】
１３はＣＲＴ１６上で画像データを加工指示するためのポインティング・デバイス（以下「ＰＤ」という。）であり、本実施形態ではマウスを使用している。これにより、ＣＲＴ１６上のカーソルをＸ，Ｙ方向任意に移動してコマンドメニュー上のコマンド・アイコンを選択して処理の指示を行なう他、編集対象の指示、描画位置の指示等も行う。
【００８８】
１４はビデオ・イメージ・メモリ（以下「ＶＲＡＭ」という。）、１５は表示出力制御部、１６はＣＲＴである。ＣＲＴ１６に表示されるデータはＶＲＡＭ１１上にビットマップデータとして展開されている。
【００８９】
１７はプリンタ制御部であり、該プリンタ制御部１７に接続されているプリンタ１８に対するデータの出力制御を行う。１Ａはスキャナ制御部であり、該スキャナ制御部に接続されているスキャナ１Ｂの制御を行う。
【００９０】
ＰＣサーバには、スキャナ制御部１Ａ及びスキャナ１Ｂが必須であるが、クライアントＰＣ１０１等では、上述した通信制御部４及び通信ポート５を介してＰＣサーバのスキャナ制御部１Ａ及びスキャナ１Ｂを使用することができる。ＰＣサーバ、クライアントＰＣ１０１共に上述した通信制御部４及び通信ポート５を介して他のＰＣのスキャナ制御部１Ａ及びスキャナ１Ｂ、あるいはキャナ１０３を使用することができる。
【００９１】
尚、スキャナ１０３とスキャナ１Ｂが物理的に別々のコンポーネントであっても、スキャナ１０３が、スキャナ１Ｂを含む１つのコンポーネントであってもよい。
【００９２】
図３は、図１のシステムのモジュール構成を示すブロック図である。
【００９３】
図３において、３０１は図１におけるクライアントＰＣ１０１、１０２、１０６であり、カタログ情報、画像データ等のデータファイルをＷｅｂアプリケーションサーバ３０６(図１の１０９に相当)に登録するための情報登録モジュール３０２と、商品情報を出力するフォームを登録する出力フォーム登録モジュール３０３を記憶している。但し、これらのモジュールはＷｅｂアプリケーションサーバ３０６から必要に応じてＷｅｂブラウザのＰｌｕｇ−ｉｎ形式等で自動的に配信されるのでクライアントＰＣ３０１上でこれらのモジュールのインストール処理等を行う必要はない。３０４はデータのやり取りを行うネットワーク、３０５はＨＴＴＰサーバであり、図１におけるＨＴＴＰサーバ１０８に相当する。
【００９４】
３０６がＷｅｂアプリケーションサーバであり、ＨＴＴＰサーバ３０５から受け取ったクライアントＰＣ３０１からのリクエストを処理するための処理モジュール３０７を記憶している。処理可能な機能としては、ユーザ認証、検索処理、各種データの一括登録、商品情報出力、データメンテナンス機能等がある。これらのモジュールはクライアントＰＣ３０１からのリクエストに応じてメモリ上にロードされ、処理が実行される。また、これらのモジュールとは別に、ｐｄｆ(Portable Document Format：Adobe社の登録商標)ファイル、ビットマップファイル等の画像編集を行う画像編集モジュール、データファイルに対して結合、分割等の編集を行うファイル編集モジュールを有するファイル編集モジュール３０８を記憶している。旅行パンフレットのＰＣサーバへの登録をｐｄｆファイルを分割し頁単位で行わせることができるので、後述する図２４におけるユーザの検索条件に基づくページ単位の詳細なカスタマイズカタログを実現することができる。さらに、データベース３１１とのデータのやり取りを行うためのライブラリ３０９や各種ユーティリティライブラリ３１０がある。
【００９５】
図４及び図５は、図１又は図３におけるデータベース１１０が有するテーブルの一例を示す図である。この図４及び図５の情報の内容は、後述する図１０、１２、１３、１４、１５、１６、１７の設定画面を介しての登録指示に基づく。
【００９６】
まず、図４について説明する。
【００９７】
図４において、４０８はデータマスタテーブルであり、商品情報やカタログ情報等のテキスト情報を管理する。記録している情報としては、一意に決定される情報ＩＤ、登録日、更新日、及び管理している情報をＷｅｂ上に公開しているか否かを示す公開フラグ、管理している情報が削除されたか否かを示す削除フラグ等がある。
【００９８】
４０４はデータ／ファイル管理マスタテーブルであり、カタログデータのファイル、画像データのファイル等の情報を管理する。記録されている情報としては、一意に決定されるファイルＩＤ、登録日、更新日、及び管理している情報をＷｅｂ上に公開しているか否かを示す公開フラグ、管理している情報が削除されたか否かを示す削除フラグ等がある。データ／ファイル管理マスタテーブル４０４は、後述の拡張子管理マスタテーブル４０１、複数のページからなるデータファイルについてページ毎の属性情報を管理している後述のページマスタテーブル４０２、及び後述のページ出力制御テーブル４０３と関連付けられている。
【００９９】
拡張子管理マスタテーブル４０１には、コンテンツタイプ情報や拡張子の種類に応じてデータファイルに施される処理の処理情報等の情報を記録している。処理情報には、拡張子の種類に対応して、例えば、圧縮処理やページ分割／結合処理等を実行できるか否かが記録されている。
【０１００】
ページマスタテーブル４０２には各ページの属性情報が格納されている。格納される属性情報としてはページ毎のファイルＩＤ、ページ番号情報、コメント情報、及び表示制御フラグがある。表示制御フラグには、検索画面等に関連付けられているカタログ情報等をサムネイル表示する際、画面表示するための代表画面を示す情報等がセットされる。
【０１０１】
ページ出力制御テーブル４０３にはページを出力する際の情報が格納されている。情報としては、ファイルＩＤ、ページ番号情報、所属ブロック情報、及び出力制御フラグがある。ここで所属ブロック情報には、関連する他のページをグルーピングするための情報がセットされる。例えば、複数のページからなる１つのカタログデータの２ページ目から５ページ目に亘って１つの情報が記載されている場合に、これらのページはグループで管理するのが望ましい。このような場合に、共通のキーデータ（キーワード）を各ページの所属ブロック情報にセットすることでこれらのページをグルーピングできるようにする。
【０１０２】
また、出力制御フラグにはページを出力する際の属性情報がセットされる。例えば、カタログデータにおける約款を記載したページは、旅行パンフレットを出力する際に必ず添付しなければならないページであるので、出力制御フラグには印刷出力属性として「必須」がセットされる。また、カタログデータの中で、そのページに記載されている内容が個別の商品のみに関するものであれば、出力制御フラグには印刷出力属性として「個別」がセットされ、他の商品にも関連するものであれば、出力制御フラグには印刷出力属性として「共通」にセットされる。尚、フラグの形態としては単数或いは複数のビット情報からなるものが想定されるが、無論文字列等により実現することもできる。
【０１０３】
データ／ファイル管理マスタテーブル４０６はファイル管理マスタテーブル４０４で管理されているデータファイルとデータマスタテーブル４０８に管理されているテキスト情報とを関連付けるテーブルである。データファイルへの関連付けはページ単位で行うことができる。
【０１０４】
ファイル種別マスタテーブル４０５はデータファイルとテキスト情報とを関連付ける際に、データファイルをカテゴライズするためのファイル種別名称情報を管理している。ファイル種別名称情報としては、例えば、総合カタログデータ、地域別カタログデータ、メイン画像データ等がある。また、データ／ファイル履歴マスタテーブル４０７はデータファイルとテキスト情報との履歴情報を管理する。
【０１０５】
次に図５について説明する。
【０１０６】
５０１はデータマスタテーブルで図４のデータマスタテーブル４０８と同じである。５０２はデータ項目値マスタテーブルでデータマスタに関連付けられているデータ項目及びその値を管理している。この項目には、例えば、目的地、主催会社、地域等の商品情報がある。また、商品情報定義項目マスタテーブル５０４はデータマスタに関連付けられているデータ項目を表示する際のフォームデータを管理している。このテーブルには、データ項目を表示する順番、表示するデータ項目名称等の情報を記録している。データ権限マスタテーブル５０３には、データマスタに対する権限情報を記録している。権限の種類としては、データ閲覧、ファイル閲覧、データ更新、ファイル更新がある。また、これらの権限は旅行代理店の支点等のグループＩＤ単位で設定されているが、ユーザである担当者単位で設定されてもよい。
【０１０７】
次に、図１の情報出力システムにおいて実行されるカタログデータ登録処理について図面を用いて説明する。
【０１０８】
図６は、図１の情報出力システムにおいて実行されるカタログデータ登録処理を示すフローチャートである。図６中ではサーバＰＣとデータベース１１０を区別して記載しているが、無論、物理的に同一の装置（中央情報処理装置）でサーバＰＣ及びデータベース１１０における処理を行わせるようにしても良い。図７についても同様とする。
【０１０９】
図６において、まず、システム管理者がクライアントＰＣ１０１等からＰＣサーバに対してアカウント及びパスワードの入力によって図１のシステムにログインを試み（ステップＳ１０１）、このログインを受けて、ＰＣサーバは入力されたアカウント及びパスワード（後述のグループＩＤ等）によるカタログデータ登録処理が許されているか否かをデータベース１１０に問い合わせて認証処理を行う（ステップＳ１０２）。ここでの認証処理はアカウント及びパスワード以外を用いる認証処理でもよい。ここで、カタログデータ登録処理が許されていない場合、ＰＣサーバはエラー画面をクライアントＰＣ１０１に送信する。カタログデータ登録処理が許されている場合、次のステップに進行すると共に、例えば、システム管理者用のカタログデータ登録画面が表示される。
【０１１０】
図８は、クライアントＰＣ１０１、１０２、１０６などにＰＣサーバから供給されるカタログデータ登録画面の一例を示す図である。
【０１１１】
図８において、８０１はカタログデータ登録画面であり、下記のカタログ登録機能を選択可能なボタンが一覧で表示される。８０２はデータファイル処理設定ボタンであり、データファイルをデータベース１１０に登録する際にＰＣサーバにおいて当該データファイルに施される処理方法をデータファイルの種類毎に設定することができる。８０３はカタログ情報登録ボタンであり、カタログデータを選択してカタログ情報をＰＣサーバに登録する登録処理を実行することができる。８０４は商品情報登録ボタンであり、カタログデータに含まれる各旅行コース等の商品の商品情報をＰＣサーバに登録することができる。８０５はカタログ情報と商品情報の関連付けボタンであり、夫々ＰＣサーバに登録されたカタログ情報と商品情報との関連付けを行うことができる。８０６はカタログ情報の公開設定ボタンであり、ＰＣサーバに登録されたカタログ情報をインターネット上に公開するか否かを設定することができる。
【０１１２】
次いで、データファイル処理設定ボタン８０２を押下して後述のデータファイル処理設定画面２５０１を表示させ、データファイルをＰＣサーバ或いはデータベースに登録する際にデータファイルに施される処理方法をデータファイル毎に設定する（ステップＳ１０３）。例えば、ｐｄｆファイルに関しては圧縮処理とページ分割処理を設定し、ＢＭＰファイルに関しては圧縮処理を設定する。但し、この設定は必ず必要という訳ではない。ここで、データファイルに施される処理方法が設定された場合、ＰＣサーバは設定された処理方法をデータベース１１０に登録する（ステップＳ１０４）。処理方法の設定に失敗する等のエラーが発生した場合にはエラー画面をクライアントＰＣ１０１に送信する処理は認証処理と同様である。設定登録が正常終了した場合には次のステップに進む。
【０１１３】
図９は、ＰＣサーバにおけるデータファイルに施される処理方法をデータファイル毎に設定する画面の一例を示す図であり、図８と同様にクライアントＰＣ１０１、１０２、１０６などにＰＣサーバから供給される。この図９の設定画面は、例えばサーバＰＣを管理する管理者により、サーバＰＣの設定を行う際に利用される。例えば、サーバＰＣの処理能力が低く、ＰＤＦファイルを分割させたい場合などにこの図９の設定画面を介してＰＣサーバの設定がクライアントＰＣから行われる。また、図９の設定画面を介して行われた設定は後述の図１１のチェックボックス１９０３、１９０４などに反映される。
【０１１４】
図９において、２５０１はブラウザ画面として表示されるデータファイル処理設定画面である。２５０２はデータファイル処理設定画面２５０１を表示させた際においてＰＣサーバに登録されているデータファイルの種類の一覧である。
【０１１５】
２５０３から２５０５はＰＣサーバに登録されている処理方法機能の一覧であり、この例では、２５０３として圧縮機能、２５０４としてページ分割機能、２５０５として暗号化機能が登録されている。
【０１１６】
ここで例えば、或るデータファイルの処理方法として圧縮機能を設定したい場合には、一覧２５０２における対応するデータファイルの種類の行の圧縮機能のチェックボックスを選択する。ここでは、ｐｄｆファイルの処理方法として圧縮機能とページ分割機能が選択されている。
【０１１７】
また、新規にデータファイルの種類をＰＣサーバに登録する場合には新規登録ボタン２５０６を選択する。ボタンを選択すると一覧２５０１の最後に新規データファイルの種類を入力できるようになり、新規データファイルに施される処理方法を設定することができる。
【０１１８】
データファイルの種類を削除する場合には、削除したいデータファイルの種類の行の先頭にあるチェックボックスを選択して削除ボタン２５０７を選択する。全ての設定を終了し、設定を実行する場合には設定ボタン２５０８を選択する。
【０１１９】
次いで、システム管理者はカタログ情報登録ボタン８０３を押下してカタログデータの登録準備を行う（ステップＳ１０５）。カタログ情報登録ボタン８０３が押下されるとＰＣサーバは、データファイルの種類毎の処理方法をデータベース１１０から読み出して（ステップＳ１０６）、該処理方法をデータファイルの登録を行うファイル登録モジュールと共にクライアントＰＣ１０１に送信する。ここで、ファイル登録モジュールが既にクライアントＰＣ１０１に存在する場合には当該モジュールは送信されない。そして、ファイル登録モジュールは後述するカタログ登録画面９０１をクライアントＰＣ１０１のブラウザ画面として表示する。
【０１２０】
次いで、システム管理者はカタログ登録画面９０１において登録するカタログデータを選択してＰＣサーバに対してカタログデータの登録依頼を行う（ステップＳ１０７）。
【０１２１】
図１０は、カタログデータの登録依頼を行うカタログ登録画面の一例であり、図１０（ａ）はカタログ登録画面９０１の概略構成を示す図であり、図１０（ｂ）はカタログ登録画面９０１で登録指示されるカタログデータの一例を示す図である。この図１０（ａ）も、図８と同様にクライアントＰＣ１０１、１０２、１０６などにＰＣサーバから供給される。また、この図１０の（a）は、先に説明した図８における８０３の入力部への指示に応じて提示される。
【０１２２】
図１０（ａ）において、９０１はカタログ登録画面であり、９０２はカタログデータ一覧表示画面であり、ＰＣサーバに登録するカタログデータ一覧が表示される。９０３は登録するカタログデータであるファイルを選択するためのファイル参照画面を表示させるボタンであり、該ボタンを選択するとファイルを参照する画面が表示され、該画面においてファイルを選択すると、選択されたファイルがカタログデータとしてカタログデータ一覧表示画面９０２に表示される。また、９０４はフォルダ参照ボタンであり、該ボタンを選択するとフォルダを参照する画面が表示され、該画面においてフォルダを選択すると、選択されたフォルダに含まれる全てのファイルがカタログデータとしてカタログデータ一覧表示画面９０２に表示される。
【０１２３】
９０５は削除ボタンであり、カタログデータ一覧表示画面９０２の中から削除するカタログデータを選択し、このボタンを選択することでカタログデータを削除することができる。また、９０６はアップロードボタンであり、カタログデータ一覧表示画面９０２に表示されている全てのカタログデータのＰＣサーバへの登録処理を行う。このボタンを選択すると後述の登録確認画面１９０１が表示される。
【０１２４】
図１０（ｂ）において、カタログデータは、複数の商品である「マレーシアの旅」９０７、「タイ旅行」９０８、及び「ベトナムの旅行」９０９から構成される。ここで、各商品は複数のページデータからなるドキュメントデータであり、従って、カタログデータも複数のページデータからなるドキュメントデータである。
【０１２５】
図１１は、ＰＣサーバに登録するカタログデータを確認する登録確認画面の一例を示す図であり、カタログを登録する際にＰＣサーバにより施されるカタログ処理の方法を設定するための設定画面であり、上に説明した図９において指定された項目のみが選択可能な設定画面となっている。
【０１２６】
また、図８と同様にクライアントＰＣ１０１、１０２、１０６などにＰＣサーバから供給されるものに対応する。また、図１０のアップロードボタン９０６への指示が行われることに応じて表示されたり、確認ボタン等を設け該確認ボタンへの指示が行われた際に表示される。
【０１２７】
図１１において、１９０１は登録確認画面であり、１９０２は登録するカタログデータ一覧である。このとき、データファイル処理設定画面２５０１によって登録の際に施される処理方法が設定されていないデータファイルの種類に相当するカタログデータはカタログデータ一覧１９０２から自動的に削除される。また、カタログデータ一覧１９０２に表示されているカタログデータでもカタログデータの行の先頭のチェックボックスを非選択状態にすることでＰＣサーバへの登録対象からはずすことができる。例えば、図１１の例では、「カタログデータ３.ｐｄｆ」はＰＣサーバに登録されない。
【０１２８】
１９０３から１９０５はカタログデータをＰＣサーバに登録する際、ＰＣサーバにおいてカタログデータに対して施される処理方法としてのファイル編集処理機能であり、データファイルの種類に対応して設定されている処理方法のチェックボックスは実線で表示され、設定されていない処理方法のチェックボックスは破線で表示される。該破線で表示されたチェックボックスは選択することができない。ここで破線として表示されるチェックボックスは上に説明した図９の設定画面においてＰＣサーバで利用できないように設定された項目に対応する。
【０１２９】
この例では、カタログデータ一覧１９０２に表示されているカタログデータの種類はがｐｄｆファイルだけであるので、図９のデータファイル処理設定画面２５０１で設定したように圧縮機能とページ分割機能が選択可能になっており、処理を行うか否かについてカタログデータ毎に選択することができる。例えば、「カタログデータ２.ｐｄｆ」に対してはＰＣサーバ登録時に圧縮処理及びページ分割処理が実行されるように設定されている。尚、図１１の画面を介して提示される拡張子はｐｄｆに限定されるものでなく図９の設定画面を介して設定が行われた拡張子のデータファイルが対象となる。
【０１３０】
１９０６は中止ボタンであり、このボタンを選択するとカタログデータのＰＣサーバへの登録処理を中止する。１９０７は登録ボタンであり、このボタンを選択すると、カタログデータ一覧１９０２において選択されているカタログデータがＰＣサーバに登録される。
【０１３１】
次いで、カタログデータの登録依頼を受けたＰＣサーバが、選択されたカタログデータを図１１の登録確認画面１９０１で設定された処理方法に従って編集することによってカタログデータの登録準備を行い、該登録準備が行われたカタログデータをデータベースに仮登録する（ステップＳ１０８）。このとき、ページ分割処理が設定されているカタログデータについて、ＰＣサーバは当該カタログデータをページ単位に分割して各ページに対応するデータファイル（以下「ページデータ」という。）を作成する。このとき、該作成されたデータファイルのファイル名はカタログデータのファイル名に対して５桁のページ番号を付けた名称とする。但し、ファイル名称作成方法はここで説明した方法に限定するものではない。さらに、ＰＣサーバはカタログデータ及びページデータに対してそれぞれサムネイル画像を生成して、登録準備を終了する。ここで登録準備が終了したカタログデータ及びページデータはＰＣサーバが有するデータベースに仮登録されるが、後述する商品情報等との関連付けがなされていない状態では、本発明において区別してデータベースに登録されていると言わない。
【０１３２】
データベースへの登録準備が正常終了した場合、ＰＣサーバがクライアントＰＣ１０１に登録準備が正常終了した旨を知らせる画面を送信する。
【０１３３】
図１２は、登録準備が終了したカタログデータ一覧画面の一例を示す図であり、図１１の登録ボタンへの指示及び登録の成功に連動して、或いは、図８におけるカタログ情報の登録８０３の入力部への指示に応じて表示される。
【０１３４】
図１２において、１００１は登録準備が終了したカタログデータ一覧画面であり、１００２はＰＣサーバに送信されて登録準備が終了し且つまだデータベースに登録されていないカタログデータのサムネイル画像の一覧である。１００３は登録ボタンであり、このボタンを選択するとカタログデータのデータベース、例えばファイル管理マスタテーブル４０４等への登録処理が実行されると共に、後述する図１３のカタログ情報設定画面１１０１によって設定された当該カタログデータに対応するカタログ情報との関連付け処理も実行される。また、ここでカタログデータのサムネイル画像１００２を選択すると、カタログ情報設定画面１１０１が表示され、当該カタログデータに関連付けられるカタログ情報の設定を行うことができる。
【０１３５】
次いで、システム管理者はカタログデータ一覧画面１００１におけるカタログデータのサムネイル画像１００２を選択してカタログ情報設定画面１１０１を表示させて当該カタログデータに関連付けるカタログ情報の設定指示を行う（ステップＳ１０９）。ＰＣサーバではクライアントＰＣ１０１からの設定指示を受けてデータマスタテーブル４０８、５０１等へカタログ情報の登録を行う。
【０１３６】
図１３は、ＰＣサーバに属性が付加された旅行情報コンテンツを登録するための設定画面であり、カタログ情報を登録するカタログ情報設定画面１１０１の一例を示す図である。この図１３は図８のカタログ情報の登録ボタン８０３への指示、及び、図１２における何れかの登録ボタン１００３への指示に基づきカタログが特定され、該特定されたカタログに関するカタログ情報を設定するための設定画面に対応する。
【０１３７】
図１３において、１１０１はカタログ情報設定画面であり、１１０２から１１０６はデータ項目値マスタテーブル５０２等に登録されている設定項目である。図１３はカタログデータが旅行カタログの場合の例であり、１１０２は旅行を主催する会社名、１１０３は旅行ブランド名、１１０４はカタログに掲載している旅行先のエリア情報、１１０５はカタログの有効期間、１１０６はその他のカタログに関するコメント情報である。
【０１３８】
また、１１０７はクリアボタンであり、このボタンを選択すると設定項目に対応して入力された全てのカタログ情報がクリアされる。１１０８は登録ボタンであり、このボタンを選択すると設定項目に対応して入力された全てのカタログ情報がデータマスタテーブル４０８、５０１等に登録される。
【０１３９】
次いで、システム管理者は、カタログデータ一覧画面１００１において、カタログ情報を設定したカタログデータに対応する登録ボタン１００３を選択することによってＰＣサーバに対し、当該カタログデータの登録指示を行う（ステップＳ１１１）。登録指示を受けたＰＣサーバはデータベースへカタログデータの登録処理を行う（ステップＳ１１２）。このとき、ＰＣサーバは設定されたカタログ情報とカタログデータの関連付け処理も合わせて実行する。このカタログデータの登録処理において、登録される対象はカタログデータだけでなく、ページデータも含まれるがページデータについては、分割元のカタログデータと共に全てのページデータをファイル管理マスタテーブル４０４等に登録する。また、対応するサムネイル画像ファイルもファイル管理マスタテーブル４０４等に登録する。
【０１４０】
以上、ステップＳ１１２までの処理によってカタログデータ及びカタログ情報のデータベースへの登録が終了するが、システム管理者は、続いてカタログに記載されている商品情報の登録及びデータベースに登録されたカタログデータとの関連付け処理を行う。
【０１４１】
まず、システム管理者はクライアントＰＣ１０１を操作してカタログデータの読み出しのリクエストをＰＣサーバに送信する（ステップＳ１１３）。該リクエストを受けたＰＣサーバは、商品情報が関連付けられていないカタログデータをデータベースから読み出してクライアントＰＣに返信する（ステップＳ１１４）。そして、システム管理者は、クライアントＰＣ１０１において読み出されたカタログデータに対して商品情報の関連付け処理を行う。例えば、図３の商品情報の登録ボタン８０４への指示が行われ、さらに図１２に画面において所定のカタログデータが選択される（登録ボタンへの指示）ことに応じて図１４の画面がクライアントＰＣ１０１等に提示される。
【０１４２】
図１４は、カタログデータの情報表示画面の一例を示す図である。
【０１４３】
１２０１はカタログデータの情報表示画面であり、読み出されたカタログデータのカタログ情報及び該カタログデータから分割されたページデータの一覧を表示する。１２０２は当該カタログデータの画像データであり、ここには例えば表紙画像データがサムネイル画像として表示される。１２０３は当該カタログデータに関連付けられているカタログ情報の一覧である。
【０１４４】
１２０４は当該カタログデータから分割されたページデータのサムネイル画像の一覧である。図１４では、ページデータが３ページ分が表示されているが、その他のページデータに関しては前ページボタン１２０７、あるいは次ページボタン１２０８を選択して表示を切り替えることで、カタログデータの情報表示画面１２０１に表示することができる。また、各ページデータのサムネイル画像を選択することによって当該ページデータの実際の大きさの画面を表示させることができる。
【０１４５】
１２０５は選択ボタンであり、このボタンを選択すると後述の図１５の商品情報設定画面１３０１が表示され、そのページデータに対して商品情報を設定することが可能となる。１２０６は各ページに商品情報が設定されているか否かを示す商品情報設定フラグであり、図１４では、設定されていないページデータには「未設定」、既に設定されているページデータには「設定済み」と表示される。
【０１４６】
図１５は、ＰＣサーバに属性が付加された旅行情報コンテンツを登録ための設定画面であり、各ページデータに対して商品情報を設定する商品情報設定画面の一例を示す図である。この図１５の画面は上に説明した図１４の各ページ１２０４に対して用意される。
【０１４７】
図１５において、１３０１は商品情報設定画面であり、１３０２はカタログデータの情報表示画面１２０１で選択されたページデータのサムネイル画像である。１３０３及び１３０４は既に当該ページデータに関連付けられている商品情報の一覧である。図１５では、旅行カタログの例を示しており、１３０３はコース名、１３０４は主催会社名である。ここでは商品情報を限定できれば良いのでこの他の情報、例えば略称等を表示しても構わない。
【０１４８】
また、１３０５は削除ボタンであり、上記商品情報の一覧における当該ページデータに関連付けられている商品情報の行の先頭のチェックボックスを選択して解除ボタン１３０５を選択すると、選択された商品情報を当該ページデータから関連付けを解除することができる。１３０６から１３１１は当該ページデータに対して新たに商品情報を設定するための項目設定ボックスである。１３０６は旅行コース名、１３０７は旅行を主催している会社名、１３０８は出発地、１３０９は旅行期間である。
【０１４９】
また、１３１０は印刷出力属性チェックボックスであり、クライアントＰＣからの指示に応じてサーバＰＣから提供される旅行情報コンテンツの出力を制御する出力属性を設定するものに対応する。この出力属性には、商品毎の個別出力属性及び複数の商品に共通する共通出力属性が含まれており、１３１０に示されるように、選択して設定可能な印刷出力属性の種類としては、「必須」、「個別」、「共通」がある。「必須」の属性は、どのユーザにも必須の情報であるページデータに付加され、例えば、旅行カタログの場合、旅行カタログの約款等のページデータに付加される。この「必須」の出力属性に設定されたコンテンツは、後述の図２６においてユーザが所望してチェックボックス２００５を介して指定した所定の頁のコンテンツ（第１の旅行情報コンテンツ）に対して、指定されていなくとも自動的に選択される第２の旅行情報コンテンツに対応する。また、図１５の設定画面を介しての設定は、ＰＣサーバがクライアントＰＣに後述する図２６の表示画面を供給する際にも参照されるものであり、印刷属性ではなく表示属性とも考えることができる。
【０１５０】
「共通」の属性は、必須の情報ではないが、カタログデータに掲載されている複数の商品に共通する情報であるページデータに付加され、例えば、旅行カタログの場合、ツアーオプション情報等のページデータに付加される。「個別」の属性は、各商品個別の情報であるページデータに付加され、例えば、図１０（ｂ）のカタログデータでは、「マレーシアの旅」９０７、「タイ旅行」９０８、及び「ベトナムの旅行」９０９の各々をなすページデータに付加される。
【０１５１】
また、１３１１はグループ設定ボックスであり、例えば、他のページデータとオプション情報が共通する場合、該共通のオプション情報に関連するキーワードや同一グループであると識別できる識別情報が入力されて設定される。例えば、後述の図２６において「川くだり」に係る頁を２００５のチェックボックスを介して行った場合に、選択された「川くだり」に係る頁に関連付けられた「川くだりの感想」の頁が連動的に図２６の設定画面において選択される。なお、或るページデータが印刷出力される際、設定されたキーワードに関連するオプション情報が共通する他のページデータも印刷出力される。即ち、第２の旅行情報コンテンツは図２６の２００５のチェックボックスを介して所定のコンテンツ（第１の旅行情報コンテンツ）が指定された場合に指定された所定のコンテンツに関連付けられたコンテンツ（第２の旅行情報コンテンツ）がＰＣサーバにおいて自動的に選択される。ＰＣサーバには、図１５のグループ設定ボックス１３１１を介して入力された識別情報（キーワード等）に基づき複数の頁をグループ化するグループモジュールが備えられていることになる。
【０１５２】
１３１２はクリアボタンであり、このボタンを選択すると商品情報設定画面１３０１において入力された全ての情報がクリアされる。
【０１５３】
１３１３は登録ボタンであり、このボタンを選択すると入力された商品情報等がデータベースに登録されると共に、このページデータへの関連付け情報もデータベースに登録される。例えば、項目設定ボックス１３０６〜１３０９に入力された商品情報はデータマスタテーブル４０８等に登録され、印刷出力属性チェックボックス１３１０で選択された印刷出力属性は、ページ出力制御テーブル４０３の出力制御フラグ等に、グループ設定ボックス１３１１に入力されたキーワードは、ページ出力制御テーブル４０３における所属ブロック情報等に格納される。また、これらの商品情報、印刷出力属性及びキーワードはページデータに関連付けられ、該ページデータはファイル管理マスタテーブル４０４等に登録される。
【０１５４】
以上のように、システム管理者は、商品情報設定画面１３０１によって所望のページデータの商品情報を設定し、該商品情報の登録処理をＰＣサーバにリクエストする（ステップＳ１１５）。該リクエストを受けたＰＣサーバは設定された商品情報を上述したようにデータベースに登録する（ステップＳ１１６）。処理が正常終了した場合にはステップＳ１１７に進み、ＰＣサーバは上述したようにページデータと設定された商品情報の関連付け処理を実行する。
【０１５５】
次いで、ステップＳ１１５からＳ１１７の処理を繰り返して所望のページデータ、引いてはカタログデータの商品情報の設定が終了した場合、システム管理者は、カタログデータに関連付けられた商品情報毎に表示属性及び印刷出力属性を設定する（ステップＳ１１８）。印刷出力属性は図１５の商品情報設定画面１３０１でも登録できるが、図１８の商品情報毎の設定画面でも設定することができる。商品情報毎に表示属性及び印刷出力属性が設定されると、ＰＣサーバは商品情報の表示属性をページマスタテーブル４０２等及び印刷出力属性をページ出力制御テーブル４０３等に登録する（ステップＳ１１９）。
【０１５６】
次いで、システム管理者は、登録されたカタログデータやページデータ、並びにこれらに関連付けられたカタログ情報及び商品情報のインターネット上へ公開／非公開を設定指示を行う（ステップＳ１２０）。該指示を受けたＰＣサーバは、後述する公開設定画面１４０１で設定された公開／非公開状況をデータマスタテーブル４０８等に登録してカタログデータの公開／非公開状況を設定する（ステップＳ１２１）。
【０１５７】
図１６は、カタログデータのインターネット上への公開設定画面の一例を示す図である。この図１６の画面は、カタログ情報の公開設定ボタン８０６の入力部へ指示を行うことに応じてクライアントＰＣ１０１などに提示される。
【０１５８】
図１６において、１４０１は公開設定画面であり、１４０２はデータベース、例えばファイル管理マスタテーブル４０４に登録されているカタログデータのサムネイル画像の一覧である。図１６では３つのカタログデータが表示されているが、この他データベースに登録されているカタログデータに関しては前ボタン１４０５、あるいは次ボタン１４０６を選択して表示を切り替えることで、公開設定画面１４０１に表示することができる。
【０１５９】
１４０３は各カタログデータの公開／非公開状況を示している。公開されうるカタログデータには「公開中」、公開されないカタログデータには「非公開」と表示される。また、１４０４は公開／非公開ボタンである。このボタンを選択することで選択したカタログデータを公開させたり、非公開にしたりすることができる。ここで、公開／非公開状況に応じてボタンの名称は「公開」と「非公開」に切り替わる。さらに、選択したカタログ中の所定の商品や、所定の商品中の所定のページの「公開」、「非公開」をクライアントＰＣ１０１などからサーバＰＣに設定できるようにしてもよい。
【０１６０】
図７は、図１の情報出力システムにおいて実行される他のカタログデータ登録処理の詳細を示すフローチャートである。
【０１６１】
図６の処理では、カタログデータ、カタログ情報及び商品情報の設定及び関連付けを一つ一つ画面を切り替えて設定していたが、本処理では一括して全ての項目の設定を行う点で図６の処理と相違する。クライアントＰＣ１０１等からは、図６に基づく登録及び図７に基づく登録を選択的に行えるものとする。
【０１６２】
図７において、ステップＳ２０１からＳ２０４における処理は図６のステップＳ１０１からＳ１０４における処理と同じである。
【０１６３】
次に、一括設定処理に必要なデータファイル及びその設定情報、例えば、カタログデータ及びカタログ情報、または、ページデータ及び商品情報等を全て指定／設定し（ステップＳ２０５）、ステップＳ２０６からＳ２１２の処理でステップＳ２０５における指定／設定に従ってデータファイル及び設定情報のデータベースへの登録を実行する。ここでのステップＳ２０６からＳ２１２における処理の各々は、対応する図６の各ステップにおける処理と同じである。なお、ステップＳ２０６で実行されるデータファイルの種類毎の処理方法に関しては、各データファイルの種類に対応した処理方法を記憶したファイルを用意することで対応してもよい。
【０１６４】
まず、システム管理者は後述の一括登録画面１５０１をクライアントＰＣ１０１に表示させて、カタログデータの各種設定を一括で行う（ステップＳ２０５）。
【０１６５】
図１７は、図７の処理においてカタログデータの各種設定を一括で行う一括登録画面の一例を示す図である。図８には図示されていないが、図８中に図１７の画面をクライアントＰＣ１０１に表示させるための入力部を設け、該入力部への指示に応じてサーバＰＣからクライアントＰＣ１０１に図１７の画面が供給されることとなる。
【０１６６】
図１７において、１５０１は一括登録画面であり、１５０２はカタログデータの設定ボックスである。ここで各種設定を行うカタログデータを選択する。例えば、参照ボタンを選択することでファイル参照画面（不図示）が表示されて各種設定を行うカタログデータを選択できる。
【０１６７】
また、１５０３はカタログ情報の設定ボックスである。カタログデータと同じく、参照ボタンを選択することでファイル参照画面（不図示）が表示されて、後述するカタログ情報設定ファイルを選択することができる。１５０４は商品情報ファイルの設定ボックスである。カタログデータと同じく、参照ボタンを選択することでファイル参照画面（不図示）が表示されて、後述する商品情報設定ファイルを選択することができる。１５０５は商品情報関連付け情報ファイルの設定ボックスである。カタログデータと同じく、参照ボタンを選択することでファイル参照画面（不図示）が表示されて、後述する関連付け設定ファイルを選択することができる。
【０１６８】
１５０６はクリアボタンである。このボタンを選択すると情報設定ファイルに入力された全ての情報がクリアされる。また、１５０７は登録ボタンである。このボタンを選択するとＰＣサーバにおいてカタログデータ及び情報設定ファイルに入力された設定情報等のデータベースへの一括登録処理が実行される。この複数のカタログ（複数の商品属性やページ属性を含む）を一括に登録する処理はＰＣサーバに設けられた一括登録モジュールにより実行される。
【０１６９】
この図１７の設定画面を介して一括登録を行えるので各カタログや各商品や各ページの属性の設定のユーザ負荷を軽減することができる。
【０１７０】
図１８は、図１５の設定画面を介してクライアントＰＣ１０１などからサーバＰＣにカタログデータに対して単数或いは複数の商品情報を設定した後に所定の商品情報を、例えば後述する図２５に示されるような設定画面を介して選択した場合に表示される第２の商品情報の属性設定画面の一例を示す図である。この図１８はＰＣサーバに属性が付加された旅行情報コンテンツを登録ための設定画面に対応する。
【０１７１】
図１８において、２２０１は商品情報属性設定画面であり、２２０２は選択した商品情報を示すサムネイル画像である。２２０３は詳細商品情報であり、２２０４は当該商品に関するページデータ、すなわち当該商品を構成するページデータのサムネイル画像である。この例では、３ページ分の関連ページデータが表示されているが、それ以上のページデータが関連付けられている場合には、その他の関連ページデータに関しては前ページボタン２２０８、あるいは次ページボタン２２０９を選択することで表示を切り替えて属性設定画面２２０１に表示することができる。
【０１７２】
２２０５は商品毎の表示属性設定チェックボックスであり、選択されたチェックボックス２２０５に対応するページデータが当該商品情報の代表ページとなる。代表ページに設定されたページデータのサムネイル画像は、後述する商品検索において、その検索結果として表示される。また、カタログ毎に代表ページ（画像情報）を設定できるようにしてもよい。
【０１７３】
ここでは、選択された商品情報に関連する各ページの中でその商品を最も適格に表現するページデータを代表ページとしてセットする。また、このような代表ページの印刷出力属性としては、「必須」あるいは「共通」と言ったページは適切ではないことが考えられるため、代表ページを印刷出力属性が「個別」であるページデータのみからしか選択できないように制御してもよい。また、当該商品情報の代表ページの初期値として印刷出力属性が「個別」であるページデータの群において当該商品情報と最初に関連付けられたページデータを代表ページとしてもよい。
【０１７４】
２２０６は印刷出力属性設定ボックスであり、「必須」、「共通」、「個別」の印刷出力属性が設定可能である。ここでの各印刷出力属性は商品情報設定画面１３０１における各印刷出力属性と同じである。
【０１７５】
２２０７はグループ設定ボックスであり、グループとしてセットで出力されるページデータに同じキーワードを設定する。図１８では、２ページと３ページがオプションというキーワードでグループ設定されている。ここでのキーワードは商品情報設定画面１３０１におけるグループ設定ボックス１３１１のキーワードと同じである。
【０１７６】
２２１０は設定のやり直しボタンである。このボタンを選択すると前画面に戻り、設定をやり直すことができる。２２１１は登録ボタンであり、このボタンを選択すると、入力された設定情報がデータベースに登録される。例えば、印刷出力属性設定ボックス２２０６で設定された印刷出力属性は、ページ出力制御テーブル４０３の出力制御フラグ等へ、グループ設定ボックス２２０７に入力されたキーワードは、ページ出力制御テーブル４０３における所属ブロック情報等へ各ページデータ毎に格納される。また、これらの印刷出力属性及びキーワードは各ページデータに関連付けられ、該ページデータはファイル管理マスタテーブル４０４等に登録される。
【０１７７】
商品情報属性設定画面２２０１において、代表ページとしてページデータが複数選択されている場合には、選択されているページデータを全て使用して代表ページのサムネイル画像が生成される。
【０１７８】
図１９は、代表ページとしてページデータが複数選択されている場合のサムネイル画像データの一例を示す図である。画像属性（代表ページの指定）が複数の頁からなり、複数の頁に対応して指定された代表ページを縮小モジュールにより縮小し一頁の代表ページにする処理について説明する。
【０１７９】
図１９に示すように、カタログデータにおいて見開きページで１つの代表ページとなっている場合があり、このような場合にはいずれのページデータも代表ページとして設定される。ここでは、１７０１が代表ページ１であり、１７０２が代表ページ２である。このとき、代表サムネイルとして２つのページデータの画像データを合成し、該合成された画像データを１ページ相当の大きさに変倍して代表サムネイル画像１７０３を生成する。
【０１８０】
図２０は、ステップＳ２０５で選択されたカタログデータにカタログ情報を一括設定するためのカタログ情報設定ファイルの一例を示す図である。
【０１８１】
図２０において、カタログ情報設定ファイルのデータ形式はＣＳＶ（Comma Separated Value）形式であり、１６０１は当該カタログ情報設定ファイルに記憶されているカタログ情報の数である。１６０２はカタログ情報設定ファイルに記憶されている各カタログデータのファイル名、１６０３は各カタログデータに対応するカタログ情報である。カタログ情報に関しては、図１３のカタログ情報設定画面１１０１における設定項目に対応する項目を設定する。さらに、１６０４から１６０６は各カタログデータに対して登録する際に実行される処理の設定であり、図２０では、順に圧縮処理、ページ分割処理、暗号化処理に対応する。ここで、カタログ情報設定ファイルに表示される処理機能はＰＣサーバ側に登録されている処理機能に対応する。そして、各カタログデータに対して処理を実行する場合には「ＯＮ」、実行しない場合には「ＯＦＦ」が設定される。
【０１８２】
カタログ情報設定ファイルでは、１６０２から１６０６の組み合わせがカタログ情報数１６０１と同じ数記憶されている。また、上述したカタログ情報設定ファイルはＣＳＶ形式であるが、形式に関しては特に限定されない。
【０１８３】
図２１は、商品情報を一括設定するための商品情報設定ファイルの一例を示す図である。
【０１８４】
図２１において、商品情報設定ファイルの形式もＣＳＶ形式である。１７０１はこの設定ファイルに記憶されている商品情報数である。１７０２は商品名、１７０３は設定する商品情報である。商品情報に関しては、図１５の商品情報設定画面１３０１における商品情報の設定項目に対応する項目を設定する。
【０１８５】
商品情報設定ファイルでは、商品名１７０２と商品情報１７０３の組み合わせが商品情報数１７０１と同じ数だけ記憶されている。また、商品情報設定ファイルはＣＳＶ形式であるが、形式に関しては特に限定されない。
【０１８６】
図２２は、カタログデータの各ページデータに商品情報を一括設定するための関連付け設定ファイルの一例を示す図である。
【０１８７】
図２２において、関連付け設定ファイルの形式もＣＳＶ形式である。１８０１は関連付けするページデータの数である。１８０２はカタログファイル名、１８０３は関連付けを行うページデータのページ番号、１８０４は各ページデータに関連付ける商品情報の商品名、１８０５は関連付けを行った各ページデータの公開情報である。
【０１８８】
関連付け設定ファイルでは、１８０２から１８０５までのの組み合わせが関連付けするデータ数１８０１と同じ数だけ記憶されている。また、関連付け設定ファイルはＣＳＶ形式であるが、形式に関しては特に限定されない。
【０１８９】
次に、図１の情報出力システムにおいて実行されるカタログデータ出力処理について図面を用いて説明する。
【０１９０】
図２３は、図１の情報出力システムのクライアントＰＣ１０６、１０１、１０２などにおいて実行されるカタログデータを検索して出力するカタログデータ出力処理を示すフローチャートである。
【０１９１】
まず、ユーザがクライアントＰＣ１０１等からアカウント及びパスワードの入力によって図１のシステムにログインを試み（ステップＳ３０１）、このログインを受けて、ＰＣサーバは入力されたアカウント及びパスワードによるカタログデータ登録処理が許されているか否かをデータベース１１０に問い合わせて認証処理を行う（ステップＳ３０２）。ここでの認証処理はアカウント及びパスワード以外を用いる認証処理でもよい。ユーザが図１のシステムを利用することが許されていなかった場合、エラー画面をクライアントＰＣ１０１に送信し、利用することが許されていた場合、次のステップに進行すると共に、後述する商品検索画面２３０１が表示される。
【０１９２】
次いで、ユーザは商品検索画面２３０１において、キーワードを入力して商品情報の検索をリクエストする（ステップＳ３０３）。該リクエストを受けたＰＣサーバは入力されたキーワードに該当する商品情報をデータベースで検索し（ステップＳ３０４）、商品検索結果を商品情報リストとしてクライアントＰＣ１０１に送信する。そして、ユーザは後述する商品検索結果画面１９０１を通じて商品検索結果を取得する（ステップＳ３０５）。
【０１９３】
図２４は、ユーザが商品を検索する商品検索画面の一例を示す図である。
【０１９４】
図２４において、２３０１は検索画面であり、２３０２から２３０５はユーザが入力する検索項目である。図２４では旅行商品の検索例を示している。
【０１９５】
検索項目に関しては、データベースによって管理されており、商品検索画面２３０１によって管理されていないため、ここで表示される検索項目に限定されない。ここで、２３０２は旅行の目的地、２３０３は旅行の主催会社、２３０４は出発地、２３０５は旅行期間である。ユーザはこれらの項目を１つ以上入力して検索を実行することができる。
【０１９６】
尚、商品検索画面２３０１は従来のシステムにおける商品検索画面とその構成が同じであるが、商品検索画面２３０１には「オプション」等のキーワードを入力する検索項目がないため、従来のシステムでは、キーワードとしての「オプション」が共通するページデータを検索することができないが、図１のシステムでは後述する商品関連情報読み出し処理に示すように、キーワードとしての「オプション」が共通するページデータを漏れなく検索することができる。
【０１９７】
また、２３０６はクリアボタンである。このボタンを選択すると商品検索画面２３０１において入力された全ての項目の値がクリアされる。２３０７は検索ボタンであり、このボタンを選択すると、入力された項目の値に従ってデータマスタテーブル４０８等に記憶された商品情報の検索が実行される。
【０１９８】
また、商品検索画面としては上述した商品検索画面２３０１だけでなく、例えば、地図画面であってもよく、このとき、当該地図画面において目的地を選択することで、選択された目的地を含む商品情報を商品検索結果画面２４０１で表示してもよい。また、その他、サーバＰＣが検索処理に対応していれば、旅行人数、価格、割引条件、女性限定プラン、男性限定プラン、家族プラン、恋人プラン、老齢プランなど適宜様々な検索条件を入力する欄を設け、検索結果のデータ（Ｗｅｂ表示画面や印刷データやpdfデータ）を検索元のクライアントＰＣ１０６に供給（送信）するようにしても良い。
【０１９９】
図２５は、商品検索結果画面の一例を示す図である。
【０２００】
図２５において、２４０１は商品検索結果画面であり、２４０２は検索された商品情報が記載されているカタログデータのサムネイル画像であり、２４０３は商品情報のサムネイル画像であり、２４０４は商品情報の簡易情報である。ここで、商品情報のサムネイル画像２４０３に関しては、当該商品情報の代表ページのサムネイル画像が表示される。ここでは上の２２０５や図１９において説明した代表ページの表示がクライアントＰＣ１０１などにおいてなされる。
【０２０１】
２４０５は検索のやり直しボタンであり、このボタンを選択すると商品検索画面２３０１に戻り、検索をやり直すことができる。
【０２０２】
図２５では、３つの商品情報が表示されているが、その他の検索結果としての商品情報に関しては前ページボタン２４０６、あるいは次ページボタン２４０７を選択することで表示を切り替えて、商品検索結果画面２４０１に表示することができる。
【０２０３】
商品情報のサムネイル画像２４０３を選択することによって、その商品情報の詳細情報及び当該商品を構成するページデータの情報を表示することができる。
【０２０４】
次いで、ユーザは商品情報のサムネイル画像２４０３を選択することによって所望の商品の選択指示を行い（ステップＳ３０６）、該指示を受けたＰＣサーバは選択された商品に関連する情報、例えば、当該商品を構成するページデータや当該商品情報の詳細情報をデータベース、例えば、ファイル管理マスタテーブル４０４やデータマスタテーブル４０８等から読み出してクライアントＰＣ１０１に返信する（ステップＳ３０７）。そして、後述の商品情報表示画面２００１を通じてユーザは商品の詳細情報を取得する（ステップＳ３０８）。
【０２０５】
ここで、ステップＳ３０７のＰＣサーバ側における商品関連情報読み出し処理の詳細について図面を用いて説明する。
【０２０６】
図２８は、ＰＣサーバにおいて実行される商品関連情報読み出し処理のフローチャートであり、図２３のステップＳ３０７或いはＳ３１０の処理の詳細を示す。
【０２０７】
まず、ＰＣサーバは、選択された商品情報に関連付けられているページデータを全て取得したか否かをチェックする（ステップＳ４０１）。全てのページデータを取得した場合にはステップＳ４１２に進み、全てのページデータを取得していない場合にはステップＳ４０２に進む。ここで取得される情報は、Ｓ３０９に対応してサーバに通知された情報に対応するものであり、ユーザが図２６を介して選択した情報の他に、約款のコンテンツやユーザが選択指示した頁にグループかされたコンテンツが含まれる。
【０２０８】
次いで、ステップＳ４０２において、関連付けられているページデータのサムネイル画像データをファイル管理マスタテーブル４０４等から取得する。ここで取得されるサムネイル画像データのファイル種類はＪＰＥＧでもＢＭＰでもよい。
【０２０９】
次いで、ステップＳ４０３において、当該ページデータの表示属性をページマスタテーブル４０２等から取得する。表示属性には当該ページデータが選択された商品情報の代表ページであるか否かの情報が記憶されている。
【０２１０】
そして、ステップＳ４０４において当該ページデータが代表ページであるか否かを判断する。代表ページでない場合にはステップＳ４０６に進み、代表ページである場合には、当該ページデータのサムネイル画像データを選択された商品情報のサムネイル画像データとして記憶する（ステップＳ４０５）。ステップＳ４０５で記憶された代表ページのサムネイル画像データが商品検索時の商品のサムネイル画像データとして使用される。
【０２１１】
次に、ステップＳ４０６において当該ページデータの印刷出力属性をページ出力制御テーブル４０３等から取得する。印刷出力属性には当該ページデータを印刷出力する際の属性情報が設定されており、「必須」、「個別」、あるいは「共通」等である。
【０２１２】
そして、ステップＳ４０７において、当該ページデータの印刷出力属性が「必須」であるか否かを判断する。印刷出力属性が「必須」でない場合にはステップＳ４０９に進み、印刷出力属性が「必須」である場合にはステップＳ４０８に進み、当該ページデータが必須ページであることを記憶し（ステップＳ４０８）、ユーザがクライアントＰＣ１０１上で印刷出力するページデータを選択する際に、ＰＣサーバは当該ページデータが常に選択状態となるように設定する。
【０２１３】
続いて、ステップＳ４０９において、ＰＣサーバは、当該ページデータの所属ブロック情報をページ出力制御テーブル４０３から取得する。所属ブロック情報には、当該ページデータが他のページデータと１つのグループを形成することによって１つの情報を表す場合や、当該ページデータが他のページデータと同じ情報を共有するグループである場合、グループに共通なキーワードが記憶されている。
【０２１４】
次いで、ステップＳ４１０において、当該ページデータの所属ブロック情報にキーワードが設定されているか否かを判断する。
【０２１５】
キーワードが設定されていない場合、ステップＳ４０１にもどり、処理を継続する。
【０２１６】
キーワードが設定されている場合、ＰＣサーバは設定されているキーワードをグループ情報として記憶する（ステップＳ４１１）。
【０２１７】
グループ情報として記憶されたキーワードが所属ブロック情報に記憶されているページデータは、ユーザがクライアントＰＣ１０１において印刷出力するページデータを選択する際、出力ＯＮ／ＯＦＦの切り替えがグループとしてセットで同時に行われるようにＰＣサーバ側によって設定される。
【０２１８】
以上、ステップＳ４０２からステップＳ４１１までの処理を繰り返し、選択された商品情報に関連付けられているページデータを全て取得した後、ステップＳ４１２に進み、ＰＣサーバは、ファイル管理マスタテーブル４０４等から読み出したサムネイル画像データ及びページデータからクライアントＰＣ１０１側で表示するデータを作成してクライアントＰＣ１０１に送信し、クライアントＰＣ１０１は送信されたデータを後述の商品情報画面２００１において表示する。
【０２１９】
次に、ユーザは、商品情報画面２００１において商品情報の出力指示をする（ステップＳ３０９）。ステップＳ３０９におけるクライアントＰＣからの指示がサーバＰＣに通知されると、サーバＰＣではデータベース１１０に蓄積された情報の参照が行われ、その結果図２６のようは画面がクライアントＰＣに送信される。
【０２２０】
図２６は、ＰＣサーバが送信したサムネイル画像データ及びページデータをクライアントＰＣにおいて表示した商品情報画面の一例を示す図である。
【０２２１】
図２６において、２００１は商品情報画面であり、２００２は選択された商品情報のサムネイル画像であり、通常は選択された商品情報の代表ページのサムネイル画像が表示される。２００３は詳細商品情報であり、図２６では、旅行コース情報の詳細情報を示している。２００４は選択された商品情報に関連付けられているカタログデータにおける関連ページデータのサムネイル画像である。ここで、各ページデータが関連付けられているカタログデータは１つに限定するものではなく、複数の異なったカタログデータにページデータが関連付けられている場合もある。
【０２２２】
さらに、図２６では３ページ分の関連ページデータが表示されているが、その他の関連ページデータに関しては前ページボタン２００７、あるいは次ページボタン２００８を選択することで表示を切り替えて、商品情報画面２００１に表示することができる。
【０２２３】
また、各ページデータのサムネイル画像を選択することによって、当該ページデータの実際の画像データを表示することができる。２００５は選択された商品情報に関連付けられているページデータを出力する場合の選択チェックボックスである。所望のページデータがある場合には、このチェックボックスをＯＮにすることで選択状態になる。ここで必須属性が設定されているページに関しては、上述したように、ＰＣサーバが選択状態をＯＮに設定しているので、チェックボックスが常にＯＮになっており、チェックボックスをＯＦＦにすることはできない。
【０２２４】
また、グループ情報と同じキーワードに係るページデータに関してはチェックボックスのＯＮ／ＯＦＦを切り替えることは可能であるが、当該ページデータに対する設定がグループ情報と同じキーワードに係るページデータの全てに反映される。
【０２２５】
２００６は出力確認ボタンであり、当該ボタンを選択することで、後述の商品情報ファイル出力画面２１０１が表示され、ユーザは選択された商品情報および所望のページデータを所望の形式でファイル出力することができる。
【０２２６】
次いで、該指示を受けたＰＣサーバは指示された商品情報をデータベースから取得し（ステップＳ３１０）、さらにユーザが商品情報ファイル出力画面２１０１において指定したページデータの設定及び出力ファイルの種類に合わせてデータベースから取得した商品情報を編集してカスタマイズカタログを作成し、該カスタマイズカタログをクライアントＰＣ１０１に送信する（ステップＳ３１１）。
【０２２７】
ここで、印刷出力属性が「必須」のページデータはＰＣサーバにおいて常に選択状態となるように設定されているため、ＰＣサーバが作成するカスタマイズカタログにはユーザが指定した商品情報だけでなく、印刷出力属性が「必須」のページも記載される。
【０２２８】
さらに、グループ情報と同じキーワードが所属ブロック情報に記憶されているページデータは、ＰＣサーバにおいてグループとして出力ＯＮに設定されるため、ＰＣサーバが作成するカスタマイズカタログにはユーザが指定した商品情報及び印刷出力属性が「必須」のページだけでなく、グループ情報と同じキーワードに係るページデータも、カスタマイズカタログに記載される。
【０２２９】
そして、ユーザは指定した商品情報、約款などの必須の情報、その他指定した商品情報に関連する情報をカスタマイズカタログによって取得する（ステップＳ３１２）そして、ＰＣサーバ（中央情報処理装置））と通信し、複数の旅行情報コンテンツからなる旅行パンフレットを出力できるクライアントＰＣにおいて、図２４や、図２５や、図２６の２００５のボタン或いはチェックボックスを介して、旅行情報コンテンツを指定する指定条件が入力されると、クライアントＰＣ１０１等は入力された指定条件に対応する第１の旅行情報コンテンツ及び入力された指定条件に対応しない第２の旅行情報コンテンツ（約款のコンテンツ）からなる旅行パンフレットのデータをＰＣサーバから受信し出力を行う。この出力の際には、図２７における２１０７の指示がクライアントＰＣ１０１からＰＣサーバに通知され、ＰＣサーバからは２１０７の指示に応じた出力用のデータがクライアントＰＣに送信される。クライアントＰＣ１０１ではＰＣサーバから受信したデータに基づく出力（印刷やＰＤＦファイル出力）を出力手段によりを行う。
【０２３０】
図２７は、選択された商品情報等のファイル出力を行う商品情報ファイル出力画面の一例を示す図である。
【０２３１】
図２７において、２１０１は商品情報ファイル出力画面であり、２１０２は選択した商品情報のサムネイル画像であり、２１０３は詳細商品情報である。２１０４は商品情報画面２００１で選択された出力を所望するページデータのサムネイル画像である。
【０２３２】
図２７では、関連付けられていたページデータの群における２、３、５及び１０ページ目が出力選択されている。すなわち、４ページ分のページデータが表示されているが、それ以上のページデータの印刷が所望されている場合には、その他の所望のページデータに関しては前ページボタン２１０５、あるいは次ページボタン２１０６を選択することで表示を切り替え、商品情報ファイル出力画面２１０１に表示することができる。２１０７は出力ファイル形式であり、ユーザは出力するファイルの種類を選択することができる。図２７では、選択可能なファイルの種類としてｐｄｆファイル、ＴＩＦＦファイルを挙げているが、この他のファイル形式であっても構わない。
【０２３３】
２１０８は出力ファイル名称ボックスであり、ユーザは出力ファイルの名称を入力する。２１０９はやり直しボタンであり、当該ボタンを選択すると商品情報画面２００１に戻る。そして、２１１０は出力実行ボタンである。このボタンを選択すると出力選択されたページデータと共に商品情報が設定されたファイルの種類に従ってファイル出力される。
【０２３４】
尚、上述した図６、図７や図２３の処理におけるサーバＰＣが行う処理について、サーバＰＣがこれらの処理を実行するモジュールをクライアントＰＣ１０１等に送信し、クライアントＰＣ１０１等が送信されたモジュールによって当該処理を実行してもよい。
【０２３５】
以上、本発明によれば、ユーザは入力したキーワードに該当する商品情報、該商品情報に関連する情報、約款などキーワードとは無関係であるがユーザに必須である情報をカスタマイズカタログとして取得することができ、ユーザは不必要に多数のキーワードを入力することなく、所望の情報及び必須の情報によって構成されたパンフレットを入手することができる。そして、ユーザが入力したキーワードを含まないが、当該入力されたキーワードを含むドキュメントに関連する他のドキュメントや、キーワードに係わらずユーザに提示必須のドキュメントがユーザ側情報処理装置に送信され、ユーザが所望する情報を加味したコンテンツが含まれる旅行パンフレットとして十分な出力物が得られる。
【０２３６】
本発明は、上述した実施の形態の機能を実現するソフトウェアのプログラムコードを記憶した記憶媒体をシステムあるいはシステムを構成する装置に供給し、そのシステムあるいは装置のコンピュータ（またはＣＰＵやＭＰＵ）が記憶媒体に格納されたプログラムコードを読み出し実行することによっても、実現されることは言うまでもない。
【０２３７】
この場合、記憶媒体から読み出されたプログラムコード自体が前述した実施の形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ＋ＲＷ、磁気テープ、不揮発性のメモリカード、ＲＯＭ、或いはネットワークを介したダウンロードなどを用いることができる。また、コンピュータが読み出したプログラムコードを実行することにより、前述した実施の形態の機能が実現されるだけではなく、そのプログラムコードの指示に基づき、コンピュータ上で稼動しているＯＳなどが実際の処理の一部または全部を行い、その処理によって前述した実施の形態の機能が実現される場合も含まれることは言でもない。
【０２３８】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵなどが処理を行って実際の処理の一部または全部を行い、その処理によって前述した実施の形態の機能が実現される場合も含まれることは言うまでもない。
【図面の簡単な説明】
【０２３９】
【図１】本発明の実施の形態に係る情報出力方法や中央情報処理装置によって構成される情報出力システムの概略構成を示す図である。
【図２】図１におけるクライアントＰＣ１０１やＰＣサーバの構成を示すブロック図である。
【図３】図１のシステムのモジュール構成を示すブロック図である。
【図４】図１又は図３におけるデータベースが有するテーブルの一例を示す図である。
【図５】図１又は図３におけるデータベースが有するテーブルの一例を示す図である。
【図６】図１の情報出力システムにおいて実行されるカタログデータ登録処理を示すフローチャートである。
【図７】図１の情報出力システムにおいて実行される他のカタログデータ登録処理を示すフローチャートである。
【図８】カタログデータ登録画面の一例を示す図である。
【図９】データファイルに施される処理方法をデータファイル毎に設定する画面の一例を示す図である。
【図１０】カタログデータの登録依頼を行うカタログ登録画面の一例であり、図１０（ａ）はカタログ登録画面９０１の概略構成を示す図であり、図１０（ｂ）はカタログ登録画面９０１で登録指示されるカタログデータの一例を示す図である。
【図１１】ＰＣサーバに登録するカタログデータを確認する登録確認画面の一例を示す図である。
【図１２】登録準備が終了したカタログデータ一覧画面の一例を示す図である。
【図１３】カタログ情報を登録するカタログ情報設定画面１１０１の一例を示す図である。
【図１４】カタログデータの情報表示画面の一例を示す図である。
【図１５】各ページデータに対して商品情報を設定するページ商品情報設定画面の一例を示す図である。
【図１６】カタログデータのインターネット上への公開設定画面の一例を示す図である。
【図１７】図７の処理においてカタログデータの各種設定を一括で行う一括登録画面の一例を示す図である。
【図１８】商品情報の属性設定画面の一例を示す図である。
【図１９】代表ページとしてページデータが複数選択されている場合のサムネイル画像データの一例を示す図である。
【図２０】ステップＳ２０５で選択されたカタログデータにカタログ情報を一括設定するためのカタログ情報設定ファイルの一例を示す図である。
【図２１】商品情報を一括設定するための商品情報設定ファイルの一例を示す図である。
【図２２】カタログデータの各ページデータに商品情報を一括設定するための関連付け設定ファイルの一例を示す図である。
【図２３】図１の情報出力システムにおいて実行されるカタログデータを検索して出力するカタログデータ出力処理を示すフローチャートである。
【図２４】ユーザが商品を検索する商品検索画面の一例を示す図である。
【図２５】商品検索結果画面の一例を示す図である。
【図２６】ＰＣサーバが送信したサムネイル画像データ及びページデータを表示する商品情報画面の一例を示す図である。
【図２７】選択された商品情報等のファイル出力を行う商品情報ファイル出力画面の一例を示す図である。
【図２８】ＰＣサーバにおいて実行される商品関連情報読み出し処理のフローチャートである。
【符号の説明】
【０２４０】
１０１，１０２，１０６，３０１  クライアント
１０３  スキャナ
１０４  プリンタ
１０５，１１１  ＬＡＮ
１０７  インターネット
１０８，３０５  ＨＴＴＰサーバ
１０９  Ｗｅｂアプリケーションサーバ
１１０  データベース
３０４  ネットワーク
４０１  拡張子管理マスタテーブル
４０２  ページマスタテーブル
４０３  ページ出力制御テーブル
４０４  ファイル管理マスタテーブル
４０５  ファイル種別マスタテーブル
４０６  データ／ファイル管理マスタテーブル
４０７  データ／ファイル履歴マスタテーブル
４０８，５０１  データマスタテーブル
５０２  データ項目値マスタテーブル
５０３  データ権限マスタテーブル
５０４  商品データ定義項目マスタテーブル
８０１  カタログデータ登録画面
９０１  カタログ登録画面
１００１  カタログデータ一覧画面
１１０１  カタログ情報設定画面
１２０１  カタログデータの情報表示画面
１３０１  商品情報設定画面
１４０１  公開設定画面
１５０１  一括登録画面
１７０３  代表サムネイル画像
１９０１  登録確認画面
２００１  商品情報画面
２１０１  商品情報ファイル出力画面  
２２０１  商品情報属性設定画面
２３０１  商品検索画面
２４０１  商品検索結果画面
２５０１  データファイル処理設定画面
【図１】
2005108127.tif 000003
【図２】
2005108127.tif 000004
【図３】
2005108127.tif 000005
【図４】
2005108127.tif 000006
【図５】
2005108127.tif 000007
【図６】
2005108127.tif 000008
【図７】
2005108127.tif 000009
【図８】
2005108127.tif 000010
【図９】
2005108127.tif 000011
【図１０】
2005108127.tif 000012
【図１１】
2005108127.tif 000013
【図１２】
2005108127.tif 000014
【図１３】
2005108127.tif 000015
【図１４】
2005108127.tif 000016
【図１５】
2005108127.tif 000017
【図１６】
2005108127.tif 000018
【図１７】
2005108127.tif 000019
【図１８】
2005108127.tif 000020
【図１９】
2005108127.tif 000021
【図２０】
2005108127.tif 000022
【図２１】
2005108127.tif 000023
【図２２】
2005108127.tif 000024
【図２３】
2005108127.tif 000025
【図２４】
2005108127.tif 000026
【図２５】
2005108127.tif 000027
【図２６】
2005108127.tif 000028
【図２７】
2005108127.tif 000029
【図２８】
2005108127.tif 000030